(57)【要約】【課題】  水等の導体によって端子間がショートしているイヤホンジャックへの音声信号の出力が行われてしまうと、イヤホンプラグへの音声信号を出力する出力アンプが破損してしまうことがある。【解決手段】  イヤホンジャックにイヤホンプラグ挿入口から水等の導体が侵入してしまった場合に、出力回路がイヤホンプラグへの音声信号の出力を開始する前の段階で報知する。【選択図】  図８
2014107757.tif 000002
【特許請求の範囲】
【請求項１】
第１端子と、音声信号を出力する出力回路に接続され当該第１端子よりもイヤホンプラグ挿入口側に配置される第２端子とを有するイヤホンジャックに接続された出力制御回路であって、
前記第１端子の電位が、前記イヤホンジャックに外部の導体が侵入していない場合に検出される所定の第１値であるか否かを検知する第１検知手段と、
前記第２端子の電位が、前記イヤホンジャックに外部の導体が侵入していない場合に検出される所定の第２値であるか否かを検知する第２検知手段と、
前記第１検知手段が、前記第１端子の電位が前記第１値であることを検知する場合に、前記出力回路による前記イヤホンジャックへの音声信号出力を抑制し、前記第１検知手段が、前記第１端子の電位が前記第１値であることを検知しない場合に、前記出力回路による前記イヤホンジャックへの音声信号出力を可能とする出力回路制御手段と、
前記第１検知手段が、前記第１端子の電位が前記第１値であることを検知する場合において、前記第２検知手段が、前記第２端子の電位が前記第２値であることを検知しないときに、第１の報知を行う報知手段とを備える
ことを特徴とする出力制御回路。
【請求項２】
前記第１端子に接続され、前記イヤホンジャックに外部の導体が侵入していない場合に前記第１端子の電位が前記第１値になるように、前記第１端子の電位をプルアップするプルアップ抵抗を備え、
前記第１端子は、イヤホンプラグが前記イヤホンジャックに挿入された場合に、当該イヤホンプラグと接触し、
前記イヤホンジャックは、前記出力回路に接続され、前記第２端子よりも、前記イヤホンプラグ挿入口から見て奥側に配置され、イヤホンプラグが前記イヤホンジャックに挿入された場合に、当該イヤホンプラグと接触することで当該イヤホンプラグを介して前記第１端子と電気的に接続され、前記第１値よりも低い電位となるように設定された第３端子を有し、
前記プルアップ抵抗の抵抗値は、前記イヤホンプラグ挿入口から侵入する導体によって、前記第１端子と前記第３端子とが短絡する場合における、前記第１端子と前記第３端子との間の抵抗値よりも大きい
ことを特徴とする請求項１記載の出力制御回路。
【請求項３】
前記プルアップ抵抗の抵抗値は、１００ｋΩより大きい
ことを特徴とする請求項２記載の出力制御回路。
【請求項４】
前記第２端子は、イヤホンプラグが前記イヤホンジャックに挿入された場合に当該イヤホンプラグの右耳用音声信号入力電極に接触される右耳用音声出力端子であり、
前記第１端子と前記第３端子のいずれか一方が、イヤホンプラグが前記イヤホンジャックに挿入された場合に当該イヤホンプラグの左耳用音声信号入力電極に接触される端子である
ことを特徴とする請求項２記載の出力制御回路。
【請求項５】
前記イヤホンジャックは、前記第２端子よりも前記イヤホンプラグ挿入口側の位置であって、イヤホンプラグが前記イヤホンジャックに挿入された場合に、当該イヤホンプラグのマイク信号出力電極に接触されるマイク信号入力端子を有し、
前記マイク信号入力端子の電位が、前記イヤホンジャックに外部の導体が侵入していない場合に検出される所定の第３値であるか否かを検知する第３検知手段をさらに備え、
前記報知手段は、さらに、前記第１検知手段が、前記第１端子の電位が前記第１値であることを検知する場合において、前記第２検知手段が、前記第２端子の電位が前記第２値であることを検知するときに、前記第３検知手段が、前記マイク信号入力端子の電位が前記第３値であることを検知しなければ第２の報知を行う
ことを特徴とする請求項４記載の出力制御回路。
【請求項６】
前記第１の報知は、前記第２の報知よりも、報知の際の音量について大きい
ことを特徴とする請求項５記載の出力制御回路。
【請求項７】
前記第１検知手段は、さらに、前記第１端子の電位が、イヤホンプラグが前記イヤホンジャックに挿入されている場合に検出される所定の第４値であるか否かを検知し、
前記出力回路制御手段は、前記音声信号出力の可能化を、前記第１検知手段が、前記第１端子の電位が前記第４値であることを検知するときに前記音声信号出力を可能とする
ことを特徴とする請求項６記載の出力制御回路。
【請求項８】
前記出力回路制御手段は、前記第２検知手段が、前記第２端子の電位が前記第２値であることを検知しないときに、前記音声信号出力を可能とする
ことを特徴とする請求項６記載の出力制御回路。
【発明の詳細な説明】
【技術分野】
【０００１】
本発明は、イヤホンジャックへの音声信号の出力を制御する出力制御回路に関する。
【背景技術】
【０００２】
イヤホンジャックは、イヤホンプラグを挿入するためのイヤホンプラグ挿入口を備えている。このため、イヤホンプラグ挿入口からイヤホンジャック内部へ水等の導体が侵入して、イヤホンジャックの端子間がショートしてしまうことがある。そして、水等の導体によって端子間がショートしているイヤホンジャックへの音声信号の出力が行われてしまうと、イヤホンジャックへの音声信号を出力する出力アンプに異常電流が流れてしまい、その出力アンプが破損してしまうことがある。
【０００３】
水等の導体によってショートした回路の電源を遮断する技術として、例えば、特許文献１記載の技術がある。この技術は、電気器具が水中に落下して回路がショートしてしまった場合に、ショートに起因してその電気器具に流れてしまう異常電流を検知して、その電気器具の電源を遮断し、感電事故を未然に防ぐ技術である。
【先行技術文献】
【特許文献】
【０００４】
【特許文献１】特開平３−１８３３１７号公報
【発明の概要】
【発明が解決しようとする課題】
【０００５】
しかしながら、特許文献１記載の技術をイヤホンジャックへの音声信号出力を制御する出力制御回路に適用したとしても、出力アンプに異常電流が流れてしまった後にその出力アンプへの電源が遮断されることとなるため、上記出力アンプの破損を防止できない。
そこで、本発明は係る問題に鑑みてなされたものであり、イヤホンプラグ挿入口から水等の導体が侵入してしまった場合における、イヤホンジャックへの音声信号を出力する出力回路が破損してしまう可能性を従来よりも低減することができる出力制御回路を提供することを目的とする。
【課題を解決するための手段】
【０００６】
上記課題を解決するために本発明に係る出力制御回路は、第１端子と、音声信号を出力する出力回路に接続され当該第１端子よりもイヤホンプラグ挿入口側に配置される第２端子とを有するイヤホンジャックに接続された出力制御回路であって、前記第１端子の電位が、前記イヤホンジャックに外部の導体が侵入していない場合に検出される所定の第１値であるか否かを検知する第１検知手段と、前記第２端子の電位が、前記イヤホンジャックに外部の導体が侵入していない場合に検出される所定の第２値であるか否かを検知する第２検知手段と、前記第１検知手段が、前記第１端子の電位が前記第１値であることを検知する場合に、前記出力回路による前記イヤホンジャックへの音声信号出力を抑制し、前記第１検知手段が、前記第１端子の電位が前記第１値であることを検知しない場合に、前記出力回路による前記イヤホンジャックへの音声信号出力を可能とする出力回路制御手段と、前記第１検知手段が、前記第１端子の電位が前記第１値であることを検知する場合において、前記第２検知手段が、前記第２端子の電位が前記第２値であることを検知しないときに、第１の報知を行う報知手段とを備えることを特徴とする。
【発明の効果】
【０００７】
本発明に係る出力制御回路によると、イヤホンジャックにイヤホンプラグ挿入口から水等の導体が侵入してしまった場合であっても、第１端子の配置位置まで水等の導体が侵入しないと、出力回路は、イヤホンジャックへの音声信号の出力を行わない。そして、イヤホンジャックにイヤホンプラグ挿入口から水等の導体が侵入してしまった場合において、第１端子よりもイヤホンプラグ挿入口側に配置される第２端子の配置位置まで水等の導体が侵入した段階で、報知手段が報知を行う。
【０００８】
このことにより、この出力制御回路に接続されたイヤホンジャックを利用するユーザは、そのイヤホンジャックにイヤホンプラグ挿入口から水等の導体が侵入してしまった場合に、出力回路がイヤホンジャックへの音声信号の出力を開始する前の段階で、水等の導体の侵入に気付くことができる。このため、このユーザは、水等の導体によって端子間がショートしているイヤホンプラグへの音声信号の出力を開始するよりも前の段階で、水等の導体の侵入に対する対応策を採ることが可能となる。
【０００９】
従って、本発明に係る出力制御回路は、イヤホンプラグ挿入口から水等の導体が侵入してしまった場合において、イヤホンプラグへの音声信号を出力する出力回路が破損してしまう可能性を従来よりも低減することができる。
【図面の簡単な説明】
【００１０】
【図１】（ａ）携帯通信端末１００の、正面側から見た斜視図、（ｂ）携帯通信端末１００の、背面側から見た斜視図
【図２】携帯通信端末１００の、イヤホンプラグ挿入孔１５０側から見た断面図
【図３】（ａ）イヤホンジャック２８０の正面図、（ｂ）イヤホンジャック２８０の側面から見た断面図、（ｃ）イヤホンジャック２８０の背面図
【図４】（ａ）マイク付きステレオイヤホン４００の概略図、（ｂ）イヤホンプラグ４１０の拡大図
【図５】携帯通信端末１００の回路図
【図６】イヤホンジャック接続回路２９０の回路図
【図７】（ａ）水等の導体の侵入範囲を示す模式図、（ｂ）水侵入時電位テーブル
【図８】導体侵入検知処理部８００の機能ブロック図
【図９】Ｄｅｔ端子第１正常値とＤｅｔ端子第２正常値とＲ端子第１正常値とＲ端子第２正常値とＭ端子正常値とを示す図
【図１０】警告画像の一例
【図１１】導体侵入検知処理のフローチャート
【図１２】イヤホン挿入時処理のフローチャート
【図１３】第１変形携帯通信端末の回路図
【図１４】（ａ）イヤホンジャック１２８０の正面図、（ｂ）イヤホンジャック１２８０の側面断面図、（ｃ）イヤホンジャック１２８０の背面図
【図１５】（ａ）ステレオイヤホン１４００の概略図、（ｂ）イヤホンプラグ１４１０の拡大図
【図１６】イヤホンジャック接続回路１２９０の回路図
【図１７】（ａ）水等の導体の侵入範囲を示す模式図、（ｂ）変形水侵入時電位テーブル
【図１８】第１変形導体侵入検知処理部１８００の機能ブロック図
【図１９】Ｄｅｔ端子第１正常値とＤｅｔ端子第２正常値とＲ端子第１正常値とＲ端子第２正常値とを示す図
【図２０】第１変形導体侵入検知処理のフローチャート
【図２１】第２変形携帯通信端末の回路図
【図２２】切替回路２１００の接続関係を示す図
【図２３】第２変形導体侵入検知処理部２３００の機能ブロック図
【図２４】第２変形導体侵入検知処理のフローチャート
【図２５】変形イヤホン挿入時処理のフローチャート
【発明を実施するための形態】
【００１１】
＜実施の形態＞
＜概要＞
以下、本発明に係る出力制御回路の一例として、マイク付きステレオイヤホンのイヤホンプラグが挿入されるイヤホンジャックを備える携帯通信端末１００について説明する。
携帯通信端末１００は、マイク付きステレオイヤホンのイヤホンプラグがイヤホンジャックに挿入されていない場合には、筐体に内蔵するレシーバとマイクとを利用して通話を実現し、マイク付きステレオイヤホンのイヤホンプラグがイヤホンジャックに挿入されている場合には、そのマイク付きステレオイヤホンを利用して通話を実現する。
【００１２】
また、この携帯通信端末１００は、イヤホンジャックに水等の導体が侵入した場合に、イヤホンジャックが内蔵する、イヤホンジャックと接続するための端子の電位の変化を利用してその侵入を検知し、自端末を利用するユーザに対して、イヤホンジャックに導体が侵入している旨の報知を行う。
なお、純粋な水は、絶縁体として振る舞うが、日常生活において人が触れる可能性のある水は、一般に、何らかの不純物が溶け込んでいるため、０Ωより大きく１００ＫΩ以下の抵抗値を持つ導体として振る舞う。従って、本明細書における「水」とは、絶縁体としての純粋な水ではなく、０Ωより大きく１００ＫΩ以下の抵抗値を持つ、不純物が溶け込んでいる水のことをいう。
【００１３】
以下、この携帯通信端末１００の構成について、図面を参照しながら説明する。
＜構成＞
図１（ａ）は、携帯通信端末１００の、正面側から見た斜視図であり、図１（ｂ）は、携帯通信端末１００の、背面側から見た斜視図である。
図１（ａ）、（ｂ）に示されるように、携帯通信端末１００は、略直方体の筐体を備えるいわゆるタブレット型スマートフォンであって、筐体の正面側主表面に、タッチパネル１１０とマイク孔１２０とレシーバ孔１３０とを備え、筐体背面側主表面に、スピーカ孔１４０を備え、筐体側面に、イヤホンプラグ挿入孔１５０を備える。
【００１４】
そして、マイク孔１２０とレシーバ孔１３０とスピーカ孔１４０とは、携帯通信端末１００の筐体内部に水等の液体が侵入しないように、防水加工がなされている。
イヤホンプラグ挿入孔１５０は、イヤホンプラグを挿入するための孔であるために、イヤホンジャック内部に水等の液体が侵入し得る。
図２は、携帯通信端末１００の、イヤホンプラグ挿入孔１５０側から見た断面図である。
【００１５】
同図に示されるように、携帯通信端末１００は、その筐体の内部に、基板２１０とマイク２２０とレシーバ２３０とスピーカ２４０とバイブレータ２５０と電池２６０とアンテナ構体２７０とを内蔵する。そして、基板２１０の表面には、イヤホンジャック２８０とイヤホンジャック接続回路２９０とイヤホンアンプ２１１とマイク信号入力回路２１２とタッチパネルコントローラ２１３とＣＰＵ（Central Processing Unit）２１４とメモリ２１５と通信用ＬＳＩ（Large Scale Integration）２１６とが装着されている。また、イヤホンジャック接続回路２９０は、抵抗・キャパシタ群２９１と電圧センサ群２９２とを含んでいる。
【００１６】
図３（ａ）は、イヤホンジャック２８０の正面図であり、図３（ｂ）は、イヤホンジャック２８０の側面から見た断面図であり、図３（ｃ）は、イヤホンジャック２８０の背面図である。
図３（ａ）、（ｂ）、（ｃ）に示されるように、イヤホンジャック２８０は、その正面に、イヤホンプラグを挿入するためのプラグ挿入口３１０を有する略直方体の筐体を備え、その内部に空洞部分が形成されている。
【００１７】
イヤホンジャック２８０の筐体は、プラグ挿入口３１０から筐体内部の空洞部分に水が侵入した場合であっても、その水が携帯通信端末１００の基板２１０側内部へ侵入してしまうことがないように、防水処理がなされたプラスチック製絶縁体である防水壁３３０によって構成されている。
ここで、一旦、イヤホンジャック２８０の説明を中断して、イヤホンジャック２８０に挿入されるイヤホンプラグについて説明する。
【００１８】
図４（ａ）は、イヤホンジャック２８０にイヤホンプラグ部分が挿入されることで、携帯通信端末１００の通話に利用される、マイク付きステレオイヤホン４００の概略図である。
同図に示されるように、マイク付きステレオイヤホン４００は、イヤホンプラグ４１０と左耳用スピーカ４２０と右耳用スピーカ４３０と通話マイク４４０とコード４５０とから構成される。
【００１９】
左耳用スピーカ４２０は、イヤホンプラグ４１０からコード４５０を介して送られて来る左耳用音声信号を音声に変換して出力する、耳に挿入可能な形状をしたスピーカであって、その内部抵抗は、３２Ωである。
右耳用スピーカ４３０は、イヤホンプラグ４１０からコード４５０を介して送られて来る右耳用音声信号を音声に変換して出力する、耳に挿入可能な形状をしたスピーカであって、その内部抵抗は、３２Ωである。
【００２０】
通話マイク４４０は、入力される音声をマイク音声信号に変換するマイクであって、イヤホンプラグ４１０からコード４５０を介して供給される電力によって動作し、その内部抵抗は２．２ＫΩである。
コード４５０は、イヤホンプラグ４１０から左耳用スピーカ４２０への左耳用音声信号の伝達と、イヤホンプラグ４１０から右耳用スピーカ４３０への右耳用音声信号の伝達と、イヤホンプラグ４１０から通話マイク４４０への電力の供給と、通話マイク４４０からイヤホンプラグ４１０へのマイク音声信号の伝達とを行うコードである。
【００２１】
図４（ｂ）は、イヤホンプラグ４１０の拡大図である。
同図に示されるように、イヤホンプラグ４１０は、Ｌ電極４１２とＲ電極４１３とＧ電極４１４とＭ電極４１５と支持部４１６とから構成されている。
Ｌ電極４１２は、イヤホンプラグ４１０がイヤホンジャック２８０に完全に挿入された状態において、イヤホンジャックから左耳用音声信号を受け取るための電極であって、例えば、りん青銅製である。そして、内径が小さくなるくぼみ部分が形成されている。
【００２２】
Ｒ電極４１３は、イヤホンプラグ４１０がイヤホンジャック２８０に完全に挿入された状態において、イヤホンジャックから右耳用音声信号を受け取るための電極であって、例えば、りん青銅製である。
Ｇ電極４１４は、イヤホンプラグ４１０がイヤホンジャック２８０に完全に挿入された状態において、イヤホンジャックのグラウンドと接続するための電極であって、例えば、りん青銅製である。
【００２３】
Ｍ電極４１５は、イヤホンプラグ４１０がイヤホンジャック２８０に完全に挿入された状態において、イヤホンジャックから電力を受けるため、及び、イヤホンジャックへマイク音声信号を伝達するための電極であって、例えばりん青銅製である。
なお、各電極間は、例えば、ポリアミド（ＰＡ）樹脂で絶縁されている。
支持部４１６は、マイク付きステレオイヤホン４００を利用するユーザが、イヤホンプラグ４１０を指で持つための領域であって、例えば、プラスチック製である。
【００２４】
再び図３（ａ）、（ｂ）、（ｃ）に戻り、イヤホンジャック２８０の説明を続ける。
図３（ｂ）に示されるように、イヤホンジャック２８０は、その筐体内部に、Ｄｅｔ端子３２１とＬ端子３２２とＲ端子３２３とＧ端子３２４とＭ端子３２５とプラグホルダＡ３４１とプラグホルダＢ３４２とを備える。そして、図３（ｃ）に示されるように、その筐体背面に、Ｄｅｔ端子電極３５１とＬ端子電極３５２とＲ端子電極３５３とＧ端子電極３５４とＭ端子電極３５５とを備える。
【００２５】
Ｄｅｔ端子３２１は、イヤホンプラグ４１０がイヤホンジャック２８０に完全に挿入された状態において、Ｌ電極４１２に接触する端子であって、例えば、りん青銅製である。
Ｌ端子３２２は、イヤホンプラグ４１０がイヤホンジャック２８０に完全に挿入された状態において、Ｌ電極４１２に接触する端子であって、例えば、りん青銅製である。
イヤホンプラグ４１０がイヤホンジャック２８０に完全に挿入されることで、Ｄｅｔ端子３２１とＬ端子３２２とが、Ｌ電極４１２のくぼみ部分を、それぞれ上下から弱くホールドする。ここで、くぼみ部分を弱くホールドするとは、人が、イヤホンジャック２８０からイヤホンプラグ４１０を容易に引き抜くことができる程度の力で、くぼみ部分をホールドすることを意味する。
【００２６】
Ｒ端子３２３は、イヤホンプラグ４１０がイヤホンジャック２８０に完全に挿入された状態において、Ｒ電極４１３に接触する端子であって、例えば、りん青銅製である。
Ｇ端子３２４は、イヤホンプラグ４１０がイヤホンジャック２８０に完全に挿入された状態において、Ｇ電極４１４に接触する端子であって、例えば、りん青銅製である。
Ｍ端子３２５は、イヤホンプラグ４１０がイヤホンジャック２８０に完全に挿入された状態において、Ｍ電極４１５に接触する端子であって、例えば、りん青銅製である。
【００２７】
Ｄｅｔ端子電極３５１とＬ端子電極３５２とＲ端子電極３５３とＧ端子電極３５４とＭ端子電極３５５とは、それぞれ、Ｄｅｔ端子３２１とＬ端子３２２とＲ端子３２３とＧ端子３２４とＭ端子３２５とに接続された、基板２１０上の回路と接続するための電極である。
図５は、携帯通信端末１００の回路図である。
【００２８】
同図に示されるように、携帯通信端末１００は、ＣＰＵ２１４と通信用ＬＳＩ２１６とアンテナ５１０とタッチパネルコントローラ２１３とタッチパネル１１０とマイク信号入力回路２１２とイヤホンアンプ２１１とイヤホンジャック接続回路２９０とイヤホンジャック２８０とメモリ２１５とレシーバ２３０とマイク２２０とスピーカ２４０とバイブレータ２５０とから構成される。
【００２９】
アンテナ５１０は、通信用ＬＳＩ２１６に接続された、金属薄膜製のモノポールアンテナであって、アンテナ構体２７０（図２参照）の表面に配置されている。
通信用ＬＳＩ２１６は、アンテナ５１０とＣＰＵ２１４とに接続され、ＣＰＵ２１４によって制御され、ＣＰＵ２１４から送られて来る送信用信号を変調する変調機能と、変調した信号を、アンテナ５１０を利用して外部の基地局へ送信する送信機能と、外部の基地局から送られて来る信号を、アンテナ５１０を利用して受信する受信機能と、受信した信号を復調してＣＰＵ２１４へ送る復調機能とを有する。
【００３０】
タッチパネル１１０は、タッチパネルコントローラ２１３に接続され、タッチパネルコントローラ２１３によって制御され、タッチパネルコントローラ２１３から送られて来る画像信号に基づく画像を表示する機能と、自パネル表面に対してなされた、携帯通信端末１００のユーザからの操作を電気信号へ変換し、変換した信号をタッチパネルコントローラ２１３へ送る機能とを有する。
【００３１】
タッチパネルコントローラ２１３は、ＣＰＵ２１４とタッチパネル１１０とに接続され、ＣＰＵ２１４によって制御され、タッチパネル１１０を制御して、ＣＰＵ２１４から送られてくる画像信号に基づく画像をタッチパネル１１０に表示させる機能と、タッチパネル１１０を制御して、タッチパネル１１０から送られてくる信号をＣＰＵ２１４へ伝達する機能とを有する。
【００３２】
メモリ２１５は、ＣＰＵ２１４に接続され、ＣＰＵ２１４によって制御され、ＲＯＭ（Read Only Memory）とＲＡＭ（Random Access Memory）とフラッシュメモリとによって構成され、ＣＰＵ２１４の動作を規定するプログラムと、ＣＰＵ２１４が利用するデータとを記憶する。
レシーバ２３０は、ＣＰＵ２１４に接続され、ＣＰＵ２１４によってオン、オフを制御（すなわち、作動と停止とを制御）され、ＣＰＵ２００から送られるデジタルの音声信号を音声に変換して、変換した音声を、レシーバ孔１３０（図１参照）を通して携帯通信端末１００外部へ出力する機能を有する。
【００３３】
マイク２２０は、ＣＰＵ２１４に接続され、ＣＰＵ２１４によってオン、オフを制御され、マイク孔１２０（図１参照）を通して携帯通信端末１００外部から入力される音声をデジタルの音声信号に変換して、変換した信号をＣＰＵ２１４へ送る機能を有する。
バイブレータ２５０は、ＣＰＵ２１４に接続され、ＣＰＵ２１４によってオン、オフを制御され、携帯通信端末１００を振動させる機能を有する。
【００３４】
マイク信号入力回路２１２は、ＣＰＵ２１４とイヤホンジャック接続回路２９０とに接続され、ＣＰＵ２１４によってオン、オフを制御され、イヤホンジャック接続回路２９０から送られて来るアナログのマイク音声信号をデジタル信号に変換して、変換したデジタルのマイク音声信号をＣＰＵ２１４に出力する機能を有する。
イヤホンアンプ２１１は、ＣＰＵ２１４とイヤホンジャック接続回路２９０とに接続され、ＣＰＵ２１４によってオン、オフを制御され、ＣＰＵ２１４から送られて来るデジタルの左耳用音声信号をアナログ信号に変換し、変換した信号を増幅してイヤホンジャック接続回路に出力する左耳用音声増幅機能と、ＣＰＵ２１４から送られて来るデジタルの右耳用音声信号をアナログ信号に変換し、変換した信号を増幅してイヤホンジャック接続回路に出力する右耳用音声増幅機能とを有する。
【００３５】
図６は、イヤホンジャック接続回路２９０の回路図である。
同図に示されるように、イヤホンジャック接続回路２９０は、Ｍ端子部６１０とＲ端子部６２０とＤｅｔ端子部６３０とＬ端子部６４０とＧ端子部６５０とから構成される。
Ｍ端子部６１０は、Ｍ端子電極３５５とマイク信号入力回路２１２とＣＰＵ２１４とに接続され、Ｍ端子電極３５５の電位をプルアップする機能と、Ｍ端子電極３５５の電位を測定する機能と、Ｍ端子電極３５５から送られて来るアナログのマイク音声信号をマイク信号入力回路２１２に伝達する機能とを有する。
【００３６】
このＭ端子部６１０は、図６に示されるように、電圧センサＡ６１１とプルアップ抵抗Ａ６１２と平滑回路Ａ６１３とキャパシタＡ６１４とから構成される。
プルアップ抵抗Ａ６１２は、１．８Ｖの電源とＭ端子電極３５５とに接続された２．２ＫΩの抵抗素子であって、Ｍ端子３２５の電位をプルアップする。
Ｍ端子３２５の電位は、Ｍ端子３２５に導体が接触していない状態では、プルアップ抵抗Ａ６１２よるプルアップによって１．８Ｖとなる。また、Ｍ端子３２５の電位は、イヤホンプラグ４１０がイヤホンジャック２８０に完全に挿入されている状態、すなわち、Ｍ端子３２５とＭ電極４１５とが接触し、Ｇ端子３２４とＧ電極４１４とが接触している状態では、９００ｍＶとなる。これは、イヤホンプラグ４１０がイヤホンジャック２８０に完全に挿入されることで、１．８Ｖの電源から、２．２ＫΩのプルアップ抵抗Ａ６１２と、内部抵抗が２．２ＫΩの通話マイク４４０とを介して、グラウンドに接続される電流経路が形成されることによる。
【００３７】
なお、１．８Ｖの電源は、電池２６０（図２参照）とレギュレータ（図示せず）とによって実現される。
平滑回路Ａ６１３は、Ｍ端子電極３５５と電圧センサＡ６１１とに接続され、Ｍ端子電極３５５の電位を平滑化して電圧センサＡ６１１に印加する機能を有する。
キャパシタＡ６１４は、Ｍ端子電極３５５とマイク信号入力回路２１２とに接続された素子であって、イヤホンプラグ４１０がイヤホンジャック２８０に完全に挿入されている状態、すなわち、Ｍ端子３２５とＭ電極４１５とが接触している状態において、通話マイク４４０から送られて来るアナログのマイク音声信号を、マイク信号入力回路２１２へ伝達する。
【００３８】
電圧センサＡ６１１は、平滑回路Ａ６１３によって平滑化されたＭ端子電極３５５の電位を測定し、測定した電位を示す信号をＣＰＵ２１４へ送る機能を有する。
Ｒ端子部６２０は、Ｒ端子電極３５３とイヤホンアンプ２１１とＣＰＵ２１４とに接続され、Ｒ端子電極３５３の電位をプルダウンする機能と、Ｒ端子電極３５３の電位を測定する機能と、イヤホンアンプ２１１から送られて来る右耳用音声信号をＲ端子電極３５３に伝達する機能とを有する。
【００３９】
このＲ端子部６２０は、図６に示されるように、電圧センサＢ６２１とプルダウン抵抗Ａ６２２と平滑回路Ｂ６２３とキャパシタＢ６２４とから構成される。
プルダウン抵抗Ａ６２２は、グラウンドとＲ端子電極３５３とに接続された１ＭΩの抵抗素子であって、Ｒ端子３２３の電位をプルダウンする。
Ｒ端子３２３の電位は、Ｒ端子３２３に導体が接触していない状態では、プルダウン抵抗Ａ６２２よるプルダウンによって０Ｖとなる。またＲ端子３２３の電位は、イヤホンプラグ４１０がイヤホンジャック２８０に完全に挿入されている状態、すなわち、Ｒ端子３２３とＲ電極４１３とが接触し、Ｇ端子３２４とＧ電極４１４とが接触している状態でも、０Ｖとなる。これは、イヤホンプラグ４１０がイヤホンジャック２８０に完全に挿入されることで、グラウンドから、１ＭΩのプルダウン抵抗Ａと、内部抵抗が３２Ωの右耳用スピーカ４３０とを介して、再度グラウンドへ接続する電流経路が形成されることによる。
【００４０】
平滑回路Ｂ６２３は、Ｒ端子電極３５３と電圧センサＢ６２１とに接続され、Ｒ端子電極３５３の電位を平滑化して電圧センサＢ６２１に印加する機能を有する。
キャパシタＢ６２４は、Ｒ端子電極３５３とイヤホンアンプ２１１とに接続された素子であって、イヤホンアンプ２１１から送られて来るアナログの右耳用音声信号を、Ｒ端子電極３５３へ伝達する。
【００４１】
電圧センサＢ６２１は、平滑回路Ｂ６２３によって平滑化されたＲ端子電極３５３の電位を測定し、測定した電位を示す信号をＣＰＵ２１４へ送る機能を有する。
Ｄｅｔ端子部６３０は、Ｄｅｔ端子電極３５１とＣＰＵ２１４とに接続され、Ｄｅｔ端子電極３５１の電位をプルアップする機能と、Ｄｅｔ端子電極３５１の電位を測定する機能とを有する。
【００４２】
このＤｅｔ端子部６３０は、図６に示されるように、電圧センサＣ６３１とプルアップ抵抗Ｂ６３２と平滑回路Ｃ６３３とから構成される。
プルアップ抵抗Ｂ６３２は、２．６Ｖの電源とＤｅｔ端子電極３５１とに接続された４７０ＫΩの抵抗素子であって、Ｄｅｔ端子３２１の電位をプルアップする。
Ｄｅｔ端子３２１の電位は、Ｄｅｔ端子３２１に導体が接触していない状態では、プルアップ抵抗Ｂ６３２よるプルアップによって２．６Ｖとなる。また、Ｄｅｔ端子３２１の電位は、イヤホンプラグ４１０がイヤホンジャック２８０に完全に挿入されている状態、すなわち、Ｄｅｔ端子３２１とＬ電極４１２とが接触し、Ｌ端子３２２とＬ電極４１２とが接触している状態では、１７１ｍＶとなる。これは、イヤホンプラグ４１０がイヤホンジャック２８０に完全に挿入されることで、２．６Ｖの電源から、４７０ＫΩのプルアップ抵抗Ｂ６３２と、３３ＫΩのプルダウン抵抗Ｂ６４２（後述）とを介してグラウンドに接続される電流経路が形成されることによる。
【００４３】
なお、２．６Ｖの電源は、電池２６０（図２参照）とレギュレータ（図示せず）とによって実現される。
平滑回路Ｃ６３３は、Ｄｅｔ端子電極３５１と電圧センサＣ６３１とに接続され、Ｄｅｔ端子電極３５１の電位を平滑化して電圧センサＣ６３１に印加する機能を有する。
電圧センサＣ６３１は、平滑回路Ｃ６３３によって平滑化されたＤｅｔ端子電極３５１の電位を測定し、測定した電位を示す信号をＣＰＵ２１４へ送る機能を有する。
【００４４】
Ｌ端子部６４０は、Ｌ端子電極３５２とイヤホンアンプ２１１とに接続され、Ｌ端子電極３５２の電位をプルダウンする機能と、イヤホンアンプ２１１から送られて来る左耳用音声信号をＬ端子電極３５２に伝達する機能とを有する。
このＬ端子部は、図６に示されるように、プルダウン抵抗Ｂ６４２とキャパシタＣ６４４とから構成される。
【００４５】
プルダウン抵抗Ｂ６４２は、グラウンドとＬ端子電極３５２とに接続された３３ＫΩの抵抗素子であって、Ｌ端子３２２の電位をプルダウンする。
Ｌ端子３２２の電位は、Ｌ端子３２２に導体が接触していない状態では、プルダウン抵抗Ｂ６４２よるプルダウンによって０Ｖとなる。また、Ｌ端子３２２の電位は、イヤホンプラグ４１０がイヤホンジャック２８０に完全に挿入されている状態、すなわち、Ｄｅｔ端子３２１とＬ電極４１２とが接触し、Ｌ端子３２２とＬ電極４１２とが接触している状態では、前述した通り、１７１ｍＶとなる。
【００４６】
Ｇ端子部６５０は、Ｇ端子電極３５４に接続され、Ｇ端子電極３５４の電位をグラウンド電位にする機能を有する。
ここで、イヤホンジャック２８０に水等の導体が侵入してしまった場合における、その侵入範囲に応じた、各端子の取り得る電位について考察する。ここでは、水等の導体の抵抗値が０Ωより大きく１００ＫΩ以下であると設定した上で、侵入範囲を、第１範囲と第２範囲と第３範囲との３つの侵入範囲に場合分けして考察する。
【００４７】
図７（ａ）は、イヤホンジャック２８０における、水等の導体の侵入範囲を示す模式図であり、図７（ｂ）は、イヤホンジャック２８０に水等の導体が侵入した場合における、各端子の取り得る電位を示す水侵入時電位テーブルである。
図７（ａ）に示されるように、第１範囲７１０は、Ｍ端子３２５におけるＭ電極４１５との接点と、Ｇ端子３２４におけるＧ電極４１４との接点とを含む範囲である。
【００４８】
第１範囲７１０に水等の導体が侵入すると、Ｍ端子３２５とＧ端子３２４との間に短絡経路が形成される。水等の導体の抵抗値を０Ωより大きく１００ＫΩ以下として計算すると、第１範囲７１０に水等の導体が侵入した場合におけるＭ端子３２５の電位は、０ｍＶより大きく１７６０ｍＶ以下の値を取り得ることがわかる（図７（ｂ）参照）。これに対して、Ｒ端子３２３とＤｅｔ端子３２１とは、それぞれ他の端子との間に短絡経路が形成されないので、それぞれ０ｍＶと２６００ｍＶの電位となる（図７（ｂ）参照）。
【００４９】
図７（ａ）に示されるように、第２範囲７２０は、Ｍ端子３２５におけるＭ電極４１５との接点と、Ｇ端子３２４におけるＧ電極４１４との接点と、Ｒ端子３２３におけるＲ電極４１３との接点とを含む範囲である。
第２範囲７２０に水等の導体が侵入すると、Ｍ端子３２５とＧ端子３２４とＲ端子３２３との間に短絡経路が形成される。水等の導体の抵抗値を０Ωより大きく１００ＫΩ以下として計算すると、第２範囲７２０に水等の導体が侵入した場合におけるＭ端子３２５の電位は、０ｍＶより大きく１７８０ｍＶ以下の値を取り得ること、そして、Ｒ端子３２３の電位は、０ｍＶより大きく８５０ｍＶ以下の値を取り得ることがわかる（図７（ｂ）参照）。これに対して、Ｄｅｔ端子３２１は、他の端子との間に短絡経路が形成されないので、２６００ｍＶの電位となる（図７（ｂ）参照）。
【００５０】
図７（ａ）に示されるように、第３範囲７３０は、Ｍ端子３２５におけるＭ電極４１５との接点と、Ｇ端子３２４におけるＧ電極４１４との接点と、Ｒ端子３２３におけるＲ電極４１３との接点と、Ｄｅｔ端子３２１におけるＤｅｔ電極４１１との接点と、Ｌ端子３２２におけるＬ電極４１２との接点とを含む範囲である。
第３範囲７３０に水等の導体が侵入すると、Ｍ端子３２５とＧ端子３２４とＲ端子３２３とＤｅｔ端子３２１とＬ端子３２２との間に短絡経路が形成される。水等の導体の抵抗値を０Ωより大きく１００ＫΩ以下として計算すると、Ｄｅｔ端子の電位は、０ｍＶより大きく６４４ｍＶ以下の値を取り得ることがわかる（図７（ｂ）参照）。Ｍ端子３２５とＲ端子３２３も、それぞれ、水等の導体の抵抗値に応じた電位となるが、これらの電位は、以下の説明において重要ではないため、ここでは詳細な電位の算出を省略する。
【００５１】
再び図５に戻って、携帯通信端末１００の回路構成の説明を続ける。
ＣＰＵ２１４は、通信用ＬＳＩ２１６とタッチパネルコントローラ２１３とマイク信号入力回路２１２とイヤホンアンプ２１１とイヤホンジャック接続回路２９０とメモリ２１５とレシーバ２３０とマイク２２０とスピーカ２４０とバイブレータ２５０とに接続され、メモリ２１５に記憶されているプログラムを実行することで、通信用ＬＳＩ２１６とタッチパネルコントローラ２１３とマイク信号入力回路２１２とイヤホンアンプ２１１とイヤホンジャック接続回路２９０とメモリ２１５とレシーバ２３０とマイク２２０とスピーカ２４０とバイブレータ２５０とを制御して、以下の機能を実現する。
【００５２】
携帯通信端末制御機能：携帯通信端末１００に、従来のスマートフォン型携帯通信端末が有する携帯通信端末としての一般的な機能と同等な機能、例えば、通話機能、メール送受信機能、インターネットサイト閲覧機能、待ち受け機能等を実現させる機能。この携帯通信端末制御機能は、ＣＰＵ２１４がメモリ２１５に記憶されているプログラムを実行することで実現される。
【００５３】
導体侵入検知機能：イヤホンジャック２８０に水等の導体が侵入した場合に、その侵入を検知して、携帯通信端末１００を利用するユーザに対して、イヤホンジャック２８０に導体が侵入している旨の報知を行う機能。この導体侵入検知機能は、ＣＰＵ２１４がメモリ２１５に記憶されているプログラムを実行して、携帯通信端末１００に、導体侵入検知機能を実現するための導体侵入検知処理を行わせることによって実現される。なお、この導体侵入検知処理については、後程＜導体侵入検知処理＞の項目において、フローチャートを用いて詳細に説明する。
【００５４】
イヤホンオンオフ切替機能：イヤホンジャック２８０にイヤホンプラグ４１０が挿入されていると推定される状態（すなわち、Ｄｅｔ端子３２１の電位とＲ端子３２３の電位とが、イヤホンジャック２８０にイヤホンプラグ４１０が挿入されている場合に取り得る値（図７（ｂ）参照）を示す状態）になると、イヤホンアンプ２１１とマイク信号入力回路２１２とをオンにして、その後、イヤホンジャック２８０にイヤホンプラグ４１０が挿入されてないと推定される状態（すなわち、Ｄｅｔ端子３２１の電位が、イヤホンジャック２８０にイヤホンプラグ４１０が挿入されている場合に取り得る値を示さない状態）になると、イヤホンアンプ２１１とマイク信号入力回路２１２とをオフにする機能。このイヤホンオンオフ機能は、ＣＰＵ２１４がメモリ２１５に記憶されているプログラムを実行して、携帯通信端末１００に、イヤホンオンオフ切替機能を実現するためのイヤホン挿入時処理を行わせることによって実現される。なお、このイヤホン挿入時処理については、後程＜イヤホン挿入時処理＞の項目において、フローチャートを用いて詳細に説明する。
【００５５】
上記回路構成を備える携帯通信端末１００について、以下、機能面から見た構成について、図面を参照しながら説明する。
但し説明を簡略化するために、携帯通信端末１００の行う導体侵入検知処理とイヤホン挿入時処理とを実現するための機能構成に絞って説明する。
図８は、携帯通信端末１００を構成する機能ブロックのうち、導体侵入検知処理とイヤホン挿入時処理とを実現する導体侵入検知処理部８００の機能構成を示す機能ブロック図である。
【００５６】
同図に示されるように、導体侵入検知処理部８００は、Ｄｅｔ端子電位検知部８１１とＲ端子電位検知部８１２とＭ端子電位検知部８１３と出力回路制御部８２０と出力回路部８３０と報知部８４０と正常電位記憶部８５０とマイク信号入力回路部８６０とから構成される。
正常電位記憶部８５０は、出力回路制御部８２０に接続され、Ｄｅｔ端子３２１の電位における第１正常値（以下、「Ｄｅｔ端子第１正常値」と呼ぶ。）と、Ｄｅｔ端子３２１の電位における第２正常値（以下、「Ｄｅｔ端子第２正常値」と呼ぶ。）と、Ｒ端子３２３の電位における第１正常値（以下、「Ｒ端子第１正常値」と呼ぶ。）と、Ｒ端子３２３の電位における第２正常値（以下、「Ｒ端子第２正常値」と呼ぶ。）と、Ｍ端子３２５の電位における第１正常値（以下、「Ｍ端子正常値」と呼ぶ。）とを記憶する機能を有する。これらの値は、携帯通信端末１００の設計時において、以下に示すように予め設定される。
【００５７】
図９は、正常電位記憶部８５０が記憶する、Ｄｅｔ端子第１正常値とＤｅｔ端子第２正常値とＲ端子第１正常値とＲ端子第２正常値とＭ端子正常値とを示す図である。
同図に示されるように、正常電位記憶部８５０が記憶するＤｅｔ端子第１正常値は、「２５９０ｍＶ以上２６１０ｍＶ未満」である。この値は、Ｄｅｔ端子３２１に導体が接触していない場合におけるＤｅｔ端子３２１の電位である２６００ｍＶに対して、測定誤差等としてプラスマイナス１０ｍＶの範囲が加味されて設定されている。
【００５８】
また、正常電位記憶部８５０が記憶するＤｅｔ端子第２正常値は、「１６１ｍＶ以上１８１ｍＶ未満」である。この値は、イヤホンプラグ４１０がイヤホンジャック２８０に完全に挿入されている場合におけるＤｅｔ端子３２１の電位である１７１ｍＶに対して、測定誤差等としてプラスマイナス１０ｍＶの範囲が加味されて設定されている。
また、正常電位記憶部８５０が記憶するＲ端子第１正常値は、「０ｍＶ以上１０ｍＶ未満」である。この値は、Ｒ端子３２３に導体が接触していない場合におけるＲ端子３２３の電位である０ｍＶに対して、測定誤差等としてプラス１０ｍＶの範囲が加味されて設定されている。
【００５９】
また、正常電位記憶部８５０が記憶するＲ端子第２正常値は、「０ｍＶ以上１０ｍＶ未満」である。この値は、イヤホンプラグ４１０がイヤホンジャック２８０に完全に挿入されている場合におけるＲ端子３２３の電位である０ｍＶに対して、測定誤差等としてプラス１０ｍＶの範囲が加味されて設定されている。
また、正常電位記憶部８５０が記憶するＭ端子第正常値は、「１７９０ｍＶ以上１８１０ｍＶ未満」である。この値は、イヤホンプラグ４１０がイヤホンジャック２８０に完全に挿入されている場合におけるＭ端子３２５の電位である１８００ｍＶに対して、測定誤差等としてプラスマイナス１０ｍＶの範囲が加味されて設定されている。
【００６０】
この正常電位記憶部８５０は、メモリ２１５の記憶領域として実現される。
再び図８に戻って、導体侵入検知処理部８００の機能構成の説明を続ける。
Ｄｅｔ端子電位検知部８１１は、イヤホンジャック２８０と出力回路制御部８２０とに接続され、所定時間Ｔ１（例えば、０．５秒）毎にＤｅｔ端子３２１の電位を測定し、測定した電位を示す信号を出力回路制御部８２０へ送る機能を有する。
【００６１】
このＤｅｔ端子電位検知部８１１は、電圧センサＣ６３１とＣＰＵ２１４とによって実現される。
Ｒ端子電位検知部８１２は、イヤホンジャック２８０と出力回路制御部８２０とに接続され、所定時間Ｔ１毎に、Ｄｅｔ端子電位検知部８１１の行う電位の測定と同期して、Ｒ端子３２３の電位を測定し、測定した電位を示す信号を出力回路制御部８２０へ送る機能を有する。
【００６２】
このＲ端子電位検知部８１２は、電圧センサＢ６２１とＣＰＵ２１４とによって実現される。
Ｍ端子電位検知部８１３は、イヤホンジャック２８０と出力回路制御部８２０とに接続され、所定時間Ｔ１毎に、Ｒ端子電位検知部８１２の行う電位の測定と同期して、Ｍ端子３２５の電位を測定し、測定した電位を示す信号を出力回路制御部８２０へ送る機能を有する。
【００６３】
このＭ端子電位検知部８１３は、電圧センサＡ６１１とＣＰＵ２１４とによって実現される。
報知部８４０は、出力回路制御部８２０に接続され、出力回路制御部８２０によって制御され、以下の４つの機能を有する。
第１警告音鳴動機能：スピーカ２４０から所定の第１警告音を出力する機能。
【００６４】
第２警告音鳴動機能：スピーカ２４０から、第１警告音よりも音量が大きい、所定の第２警告音を出力し、さらに、バイブレータ２５０を用いて携帯通信端末１００を振動させる機能。
警告表示機能：タッチパネル１１０に、所定の警告画像を表示する機能。
警告停止機能：スピーカ２４０から第１警告音を出力している場合に、第１警告音の出力を停止し、スピーカ２４０から第２警告音を出力してバイブレータ２５０を用いて携帯通信端末１００を振動させている場合に、第２警告音の出力を停止してバイブレータを用いて行う携帯通信端末１００の振動を停止し、タッチパネルに警告画像を表示している場合に、警告画像の表示を停止する機能。
【００６５】
図１０に、タッチパネル１１０に表示する警告画像の一例を示す。
この報知部８４０は、ＣＰＵ２４１とスピーカ２４０とバイブレータ２５０とタッチパネルコントローラ２１３とタッチパネル１１０とによって実現される。
出力回路部８３０は、イヤホンジャック２８０と出力回路制御部８２０とに接続され、出力回路制御部８２０によってオン、オフを制御され、右耳用音声信号を生成してイヤホンジャック２８０へ出力する機能と、左耳用音声信号を生成してイヤホンジャック２８０へ出力する機能とを有する。
【００６６】
この出力回路部８３０は、ＣＰＵ２１４とイヤホンアンプ２１１とによって実現される。そして、この出力回路部８３０は、携帯通信端末１００の起動時にイヤホンアンプ２１１をオフとする。
マイク信号入力回路部８６０は、イヤホンジャック２８０と出力回路制御部８２０とに接続され、出力回路制御部８２０によってオン、オフを制御され、イヤホンジャック２８０から送られて来るアナログのマイク音声信号をデジタル信号に変換する機能を有する。
【００６７】
このマイク信号入力回路部８６０は、マイク信号入力回路２１２によって実現される。そして、このマイク信号入力回路部８６０は、携帯通信端末１００の起動時にマイク信号入力回路２１２をオフとする。
出力回路制御部８２０は、Ｄｅｔ端子電位検知部８１１とＲ端子電位検知部８１２とＭ端子電位検知部８１３と出力回路部８３０と報知部８４０と正常電位記憶部８５０とマイク信号入力回路部８６０とに接続され、ＣＰＵ２１４によって実現され、以下の６つの機能を有する。
【００６８】
第１警告機能：Ｄｅｔ端子電位検知部８１１から送られて来た信号が示すＤｅｔ端子３２１の電位が、正常電位記憶部８５０が記憶するＤｅｔ端子第１正常値である（すなわち、「２５９０ｍＶ以上２６１０ｍＶ未満」である）場合において、Ｒ端子電位検知部８１２から送られて来た信号が示すＲ端子３２３の電位が、正常電位記憶部８５０が記憶するＲ端子第１正常値でない（すなわち、「０ｍＶ以上１０ｍＶ未満」でない）ときに、報知部８４０を制御して、スピーカ２４０から所定の第１警告音を出力させることで、携帯通信端末１００のユーザに警告を発する機能。
【００６９】
第２警告機能：Ｄｅｔ端子電位検知部８１１から送られて来た信号が示すＤｅｔ端子３２１の電位が、正常電位記憶部８５０が記憶するＤｅｔ端子第１正常値でない（すなわち、「２５９０ｍＶ以上２６１０ｍＶ未満」でない）場合において、（１）Ｄｅｔ端子電位検知部８１１から送られて来た信号が示すＤｅｔ端子３２１の電位が、正常電位記憶部８５０が記憶するＤｅｔ端子第２正常値でない（すなわち、「１６１ｍＶ以上１８１ｍＶ未満」でない）とき、又は、（２）Ｄｅｔ端子電位検知部８１１から送られて来た信号が示すＤｅｔ端子３２１の電位が、正常電位記憶部８５０が記憶するＤｅｔ端子第２正常値であり（すなわち、「１６１ｍＶ以上１８１ｍＶ未満」であり）、かつ、Ｒ端子電位検知部８１２から送られて来た信号が示すＲ端子３２３の電位が、正常電位記憶部８５０が記憶するＲ端子第２正常値でない（すなわち、「０ｍＶ以上１０ｍＶ未満」でない）ときに、報知部８４０を制御して、スピーカ２４０から所定の第２警告音を出力させ、さらに、バイブレータ２５０を用いて携帯通信端末１００を振動させることで、携帯通信端末１００のユーザに警告を発する機能。
【００７０】
第３警告機能：Ｄｅｔ端子電位検知部８１１から送られて来た信号が示すＤｅｔ端子３２１の電位が、正常電位記憶部８５０が記憶するＤｅｔ端子第１正常値である（すなわち、「２５９０ｍＶ以上２６１０ｍＶ未満」である）場合において、Ｒ端子電位検知部８１２から送られて来た信号が示すＲ端子３２３の電位が、正常電位記憶部８５０が記憶するＲ端子第１正常値である（すなわち、「０ｍＶ以上１０ｍＶ未満」である）ときに、Ｍ端子電位検知部８１３から送られて来た信号が示すＭ端子３２５の電位が、正常電位記憶部８５０が記憶するＭ端子正常値でなければ（すなわち、「１７９０ｍＶ以上１８１０ｍＶ未満」でなければ）、報知部８４０を制御して、タッチパネル１１０に警告画像を表示させることで、携帯通信端末１００のユーザに警告を発する機能。
【００７１】
警告完了機能：Ｄｅｔ端子電位検知部８１１から送られて来た信号が示すＤｅｔ端子３２１の電位が、正常電位記憶部８５０が記憶するＤｅｔ端子第１正常値である（すなわち、「２５９０ｍＶ以上２６１０ｍＶ未満」である）場合において、Ｒ端子電位検知部８１２から送られて来た信号が示すＲ端子３２３の電位が、正常電位記憶部８５０が記憶するＲ端子第１正常値である（すなわち、「０ｍＶ以上１０ｍＶ未満」である）ときに、Ｍ端子電位検知部８１３から送られて来た信号が示すＭ端子３２５の電位が、正常電位記憶部８５０が記憶するＭ端子正常値であれば（すなわち、「１７９０ｍＶ以上１８１０ｍＶ未満」であれば）、報知部８４０を制御して、ユーザに対して発している警告を停止させる機能。
【００７２】
出力回路部起動機能：Ｄｅｔ端子電位検知部８１１から送られて来た信号が示すＤｅｔ端子３２１の電位が、正常電位記憶部８５０が記憶するＤｅｔ端子第１正常値でない（すなわち、「２５９０ｍＶ以上２６１０ｍＶ未満」でない）場合において、Ｄｅｔ端子電位検知部８１１から送られて来た信号が示すＤｅｔ端子３２１の電位が、正常電位記憶部８５０が記憶するＤｅｔ端子第２正常値である（すなわち、「１６１ｍＶ以上１８１ｍＶ未満」である）ときに、Ｒ端子電位検知部８１２から送られて来た信号が示すＲ端子３２３の電位が、正常電位記憶部８５０が記憶するＲ端子第２正常値であれば（すなわち、「０ｍＶ以上１０ｍＶ未満」であれば）、（１）報知部８４０を制御して、ユーザに対して発している警告を停止させた上で、（２）出力回路部８３０をオンにして（すなわち、イヤホンアンプ２１１をオンにして）、マイク信号入力回路部８６０をオンにする（すなわち、マイク信号入力回路２１２をオンにする）機能。
【００７３】
出力回路部停止機能：出力回路部８３０とマイク信号入力回路部８６０とが共にオンである場合（すなわち、イヤホンアンプ２１１とマイク信号入力回路２１２とが共にオンである場合）において、Ｄｅｔ端子電位検知部８１１から送られて来た信号が示すＤｅｔ端子３２１の電位が、正常電位記憶部８５０が記憶するＤｅｔ端子第２正常値でない（すなわち、「１６１ｍＶ以上１８１ｍＶ未満」でない）ときに、出力回路部８３０をオフにして（すなわち、イヤホンアンプ２１１をオフにして）、マイク信号入力回路部８６０をオフにする（すなわち、マイク信号入力回路２１２をオフにする）機能。
【００７４】
以下、図面を参照しながら、上記構成の携帯通信端末１００の行う動作について説明する。
＜動作＞
ここでは、携帯通信端末１００の行う動作のうち、特徴的な動作である、導体侵入検知処理とイヤホン挿入時処理とについて説明する。
【００７５】
＜導体侵入検知処理＞
導体侵入検知処理は、イヤホンジャック２８０に水等の導体が侵入した場合に、その侵入を検知して、携帯通信端末１００を利用するユーザに対して、イヤホンジャック２８０に導体が侵入している旨の報知を行う処理である。
図１１は、導体侵入検知処理のフローチャートである。
【００７６】
導体侵入検知処理は、携帯通信端末１００が、電源がオンとなって起動されることで開始される。
導体侵入検知処理が開始されると、Ｄｅｔ端子電位検知部８１１は、Ｄｅｔ端子３２１の電位を測定して、測定した電位を示す信号を出力回路制御部８２０へ送り、Ｒ端子電位検知部８１２は、Ｒ端子３２３の電位を測定して、測定した電位を示す信号を出力回路制御部８２０へ送り、Ｍ端子電位検知部８１３は、Ｍ端子３２５の電位を測定して、測定した電位を示す信号を出力回路制御部８２０へ送る。
【００７７】
出力回路制御部８２０は、Ｄｅｔ端子電位検知部８１１から、Ｄｅｔ端子３２１の電位を示す信号を受け取ると、Ｄｅｔ端子３２１の電位が、正常電位記憶部８５０が記憶するＤｅｔ端子第１正常値である（すなわち、「２５９０ｍＶ以上２６１０ｍＶ未満」である）か否かを調べる（ステップＳ８００）。
ステップＳ８００の処理において、Ｄｅｔ端子３２１の電位が、「２５９０ｍＶ以上２６１０ｍＶ未満」である場合に（ステップＳ８００：Ｙｅｓ）、出力回路制御部８２０は、Ｒ端子電位検知部８１２から送られて来た信号が示すＲ端子３２３の電位が、「０ｍＶ以上１０ｍＶ未満」であるか否かを調べる（ステップＳ８０５）。
【００７８】
ステップＳ８０５の処理において、Ｒ端子３２３の電位が、「０ｍＶ以上１０ｍＶ未満」でない場合に（ステップＳ８０５：Ｎｏ、すなわち、第２範囲７２０にイヤホンプラグ４１０以外の導体が侵入している可能性がある場合に）、出力回路制御部８２０は、報知部８４０を制御して、スピーカ２４０から第１警告音の出力を開始させることで、携帯通信端末１００のユーザに警告を発する（ステップＳ８３０）。
【００７９】
ステップＳ８０５の処理において、Ｒ端子３２３の電位が、「０ｍＶ以上１０ｍＶ未満」である場合に（ステップＳ８０５：Ｙｅｓ）、出力回路制御部８２０は、Ｍ端子電位検知部８１３から送られて来た信号が示すＭ端子３２５の電位が、「１７９０ｍＶ以上１８１０ｍＶ未満」であるか否かを調べる（ステップＳ８１０）。
ステップＳ８１０の処理において、Ｍ端子３２５の電位が、「１７９０ｍＶ以上１８１０ｍＶ未満」でない場合に（ステップＳ８１０：Ｎｏすなわち、第１範囲７１０にイヤホンプラグ４１０以外の導体が侵入している可能性がある場合に）、出力回路制御部８２０は、報知部８４０を制御して、タッチパネル１１０に警告画像を表示させることで、携帯通信端末１００のユーザに警告を発する（ステップＳ８２５）。
【００８０】
ステップＳ８１０の処理において、Ｍ端子３２５の電位が、「１７９０ｍＶ以上１８１０ｍＶ未満」である場合に（ステップＳ８１０：Ｙｅｓ）、出力回路制御部８２０は、現在ユーザに対して警告を発しているか否かを調べる（ステップＳ８１５）。
ステップＳ８１５の処理において、現在ユーザに対して警告を発している場合に（ステップＳ８１５：Ｙｅｓ）、出力回路制御部８２０は、報知部８４０を制御して、ユーザに対して発している警告を停止させる（ステップＳ８２０）。
【００８１】
ステップＳ８００の処理において、Ｄｅｔ端子３２１の電位が、「２５９０ｍＶ以上２６１０ｍＶ未満」でない場合に（ステップＳ８００：Ｎｏ）、出力回路制御部８２０は、Ｄｅｔ端子３２１の電位が、「１６１ｍＶ以上１８１ｍＶ未満」であるか否かを調べる（ステップＳ８４０）。
ステップＳ８４０の処理において、Ｄｅｔ端子３２１の電位が、「１６１ｍＶ以上１８１ｍＶ未満」である場合に（ステップＳ８４０：Ｙｅｓ）、出力回路制御部８２０は、Ｒ端子電位検知部８１２から送られて来た信号が示すＲ端子３２３の電位が、「０ｍＶ以上１０ｍＶ未満」であるか否かを調べる（ステップＳ８４５）。
【００８２】
ステップＳ８４０の処理において、Ｄｅｔ端子３２１の電位が、「１６１ｍＶ以上１８１ｍＶ未満」でない場合（ステップＳ８４０：Ｎｏ）、又は、ステップＳ８４５の処理において、Ｒ端子３２３の電位が、「０ｍＶ以上１０ｍＶ未満」でない場合（ステップＳ８４５：Ｎｏ、すなわち、第３範囲７３０にイヤホンプラグ４１０以外の導体が侵入している可能性がある場合）に、出力回路制御部８２０は、報知部８４０を制御して、スピーカ２４０から第２警告音を出力させ、さらに、バイブレータ２５０を用いて携帯通信端末１００を振動させることで、携帯通信端末１００のユーザに警告を発する（ステップＳ８５０）。
【００８３】
ステップＳ８２０の処理が終了した場合、ステップＳ８１５の処理において、現在ユーザに対して警告を発していない場合（ステップＳ８１５：Ｎｏ）、ステップＳ８２５の処理が終了した場合、ステップＳ８３０の処理が終了した場合、又は、ステップＳ８５０の処理が終了した場合に、出力回路制御部８２０は、前回Ｄｅｔ端子電位検知部８１１がＤｅｔ端子３２１の電位の測定をしてから所定時間Ｔ１経過するまで待つ（ステップＳ８３５）。
【００８４】
ステップＳ８４５の処理において、Ｒ端子３２３の電位が、「０ｍＶ以上１０ｍＶ未満」である場合に（ステップＳ８４５：Ｙｅｓ）、出力回路制御部８２０は、現在ユーザに対して警告を発しているか否かを調べる（ステップＳ８５５）。
ステップＳ８５５の処理において、現在ユーザに対して警告を発している場合に（ステップＳ８５５：Ｙｅｓ）、出力回路制御部８２０は、報知部８４０を制御して、ユーザに対して発している警告を停止させる（ステップＳ８６０）。
【００８５】
ステップＳ８６０の処理が終了した場合、又は、ステップＳ８５５の処理において、現在ユーザに対して警告を発していない場合（ステップＳ８５５：Ｎｏ）、携帯通信端末１００は、イヤホン挿入時処理を行う（ステップＳ８６５）。このイヤホン挿入時処理については、後述する。
ステップＳ８３５の処理が終了した場合、又は、ステップＳ８６５の処理が終了した場合に、再びステップＳ８００の処理に戻って、ステップＳ８００以降の処理を繰り返す。
【００８６】
＜イヤホン挿入時処理＞
イヤホン挿入時処理は、イヤホンジャック２８０にイヤホンプラグ４１０が挿入されていると推定される状態になると（すなわち、導体侵入検知処理における、ステップＳ８６０の処理が終了した場合、又は、ステップＳ８５５の処理において、現在ユーザに対して警告を発していない場合（ステップＳ８５５：Ｎｏ）に）、イヤホンアンプ２１１とマイク信号入力回路２１２とをオンにして、その後、イヤホンジャック２８０にイヤホンプラグ４１０が挿入されてないと推定される状態になると、イヤホンアンプ２１１とマイク信号入力回路２１２とをオフにする処理である。
【００８７】
なお、携帯通信端末１００の起動時に、イヤホンアンプ２１１とマイク信号入力回路２１２とは共にオフとなるため、及び、後述するように、イヤホン挿入時処理の終了時点で、イヤホンアンプ２１１とマイク信号入力回路２１２とは共にオフとなるため、イヤホン挿入時処理の開始時点で、イヤホンアンプ２１１とマイク信号入力回路２１２とは共にオフとなる。
【００８８】
図１２は、イヤホン挿入時処理のフローチャートである。
イヤホン挿入時処理は、導体侵入検知処理における、ステップＳ８６０の処理が終了した場合、又は、ステップＳ８５５の処理において、現在ユーザに対して警告を発していない場合（ステップＳ８５５：Ｎｏ）、すなわち、イヤホンジャック２８０にイヤホンプラグ４１０が挿入されていると推定される状態になることで開始される。
【００８９】
イヤホン挿入時処理が開始されると、出力回路制御部８２０は、出力回路部８３０をオンにして（すなわち、イヤホンアンプ２１１をオンにして）、マイク信号入力回路部８６０をオンにする（すなわち、マイク信号入力回路２１２をオンにする）（ステップＳ９００）。そして、出力回路制御部８２０は、Ｄｅｔ端子電位検知部８１１から、Ｄｅｔ端子３２１の電位を示す信号を受け取ると、Ｄｅｔ端子３２１の電位が、「１６１ｍＶ以上１８１ｍＶ未満」であるか否かを調べる（ステップＳ９１０）。
【００９０】
ステップＳ９１０の処理において、Ｄｅｔ端子３２１の電位が、「１６１ｍＶ以上１８１ｍＶ未満」である場合に（ステップＳ９１０：Ｙｅｓ）、出力回路制御部８２０は、前回Ｄｅｔ端子電位検知部８１１がＤｅｔ端子３２１の電位の測定をしてから所定時間Ｔ１経過するまで待つ（ステップＳ９２０）。
ステップＳ９２０の処理が終わると、再びステップＳ９００の処理に戻って、ステップＳ９００以降の処理を繰り返す。
【００９１】
ステップＳ９１０の処理において、Ｄｅｔ端子３２１の電位が、「１６１ｍＶ以上１８１ｍＶ未満」でない場合に（ステップＳ９１０：Ｎｏ）、すなわち、イヤホンジャック２８０にイヤホンプラグ４１０が挿入されていないと推定される状態になると、出力回路制御部８２０は、出力回路部８３０をオフにして（すなわち、イヤホンアンプ２１１をオフにして）、マイク信号入力回路部８６０をオフにする（すなわち、マイク信号入力回路２１２をオフにする）（ステップＳ９３０）。
【００９２】
ステップＳ９３０の処理が終わると、携帯通信端末１００は、そのイヤホン挿入時処理を終了する。
＜考察＞
上記構成の携帯通信端末１００によると、イヤホンジャック２８０にプラグ挿入口３１０から水等の導体が侵入した場合に、その導体が第１範囲７１０まで侵入した段階で、タッチパネル１１０に警告画像を表示する。そして、この段階では、イヤホンアンプ２１１はオフである。また、その導体が第２範囲７２０まで侵入した段階で、スピーカ２４０から第１警告音を出力する。そして、この段階では、イヤホンアンプ２１１はオフである。
【００９３】
これに対して、その導体が第３範囲７３０まで侵入した場合には、その導体の示す抵抗値によっては、Ｄｅｔ端子３２１の電位が「１６１ｍＶ以上１８１ｍＶ未満」となり、Ｒ端子３２３の電位が「０ｍＶ以上１０ｍＶ未満」となってしまうことがあり、イヤホンジャック２８０にイヤホンプラグ４１０が挿入されていると誤って推定してしまい、イヤホンアンプ２１１をオンにしてしまうことがある。イヤホンジャック２８０に水等の導体が侵入することで、Ｌ端子３２２又は（及び）Ｒ端子３２３が他の端子とショートしている状態で、イヤホンアンプ２１１がオンになってしまうと、イヤホンアンプ２１１に異常電流が流れてしまう恐れがある。
【００９４】
しかしながら、携帯通信端末１００を利用するユーザは、イヤホンジャック２８０に水等の導体が侵入してしまった場合であっても第３範囲７３０までその導体が侵入してしまう前に、その導体の侵入に対して何らかの対策を採ることができる。
＜実施の形態２＞
＜概要＞
以下、本発明に係る出力制御回路の一例として、マイク付きでないステレオイヤホンのイヤホンプラグが挿入されるイヤホンジャックを備える第１変形携帯通信端末について説明する。
【００９５】
第１変形携帯通信端末は、そのハードウエア構成の一部が、実施の形態１に係る携帯通信端末１００から変形され、さらに、実行されるソフトウエアの一部、及び、記憶されるデータの一部が、実施の形態１に係る携帯通信端末１００から変形されている。
実施の形態１は、携帯通信端末１００が、５つの端子（Ｄｅｔ端子３２１、Ｌ端子３２２、Ｒ端子３２３、Ｇ端子３２４、Ｍ端子３２５）を備えるイヤホンジャック２８０を備える構成の例であった。
【００９６】
これに対して、実施の形態２は、第１変形携帯通信端末が、４つの端子（Ｄｅｔ端子、Ｌ端子、Ｒ端子、Ｇ端子）を備えるイヤホンジャックを備える構成の例である。
以下、実施の形態２に係る第１変形携帯通信端末について、実施の形態１に係る携帯通信端末１００との相違点を中心に、図面を参照しながら説明する。
＜構成＞
図１３は、第１変形携帯通信端末の回路図である。
【００９７】
同図に示されるように、第１変形携帯通信端末のハードウエアは、実施の形態１に係る携帯通信端末１００から、イヤホンジャック２８０がイヤホンジャック１２８０に変形され、イヤホンジャック接続回路２９０がイヤホンジャック接続回路１２９０に変形されている。
図１４（ａ）は、イヤホンジャック１２８０の正面図であり、図１４（ｂ）は、イヤホンジャック１２８０の側面断面図であり、図１４（ｃ）は、イヤホンジャック１２８０の背面図である。
【００９８】
図１４（ａ）、（ｂ）、（ｃ）に示されるように、イヤホンジャック１２８０は、実施の形態１におけるイヤホンジャック２８０から、Ｍ端子３２５とＭ端子電極３５５とが削除されている。そして、これらの削除に伴って、イヤホンジャック１２８０のサイズが小さくなるように、防水壁３３０が防水壁１３３０に変形されている。
図１５（ａ）は、イヤホンジャック１２８０にイヤホンプラグ部分が挿入されることで、第１変形携帯通信端末の行う音声出力に利用される、ステレオイヤホン１４００の概略図である。
【００９９】
同図に示されるように、ステレオイヤホン１４００は、実施の形態１におけるマイク付きステレオイヤホン４００から、通話マイク４４０が削除され、イヤホンプラグ４１０がイヤホンプラグ１４１０に変更され、コード４５０がコード１４５０に変更されるように変形されている。
コード１４５０は、イヤホンプラグ１４１０から左耳用スピーカ４２０への左耳用音声信号の伝達と、イヤホンプラグ４１０から右耳用スピーカ４３０への右耳用音声信号の伝達とを行うコードである。
【０１００】
図１５（ｂ）は、イヤホンプラグ１４１０の拡大図である。
同図に示されるように、イヤホンプラグ１４１０は、実施の形態１におけるイヤホンプラグ４１０から、Ｍ電極４１５が削除されるように変形されている。
図１６は、イヤホンジャック接続回路１２９０の回路図である。
同図に示されるように、イヤホンジャック接続回路１２９０は、実施の形態１におけるイヤホンジャック接続回路２９０から、Ｍ端子部６１０が削除され、Ｒ端子部６２０がＲ端子部１６２０に変更されるように変形されている。
【０１０１】
Ｒ端子部１６２０は、実施の形態１におけるＲ端子部６２０から、プルダウン抵抗Ａ６２２が削除され、プルアップ抵抗Ａ１６１２が追加されるように変形されている。そして、Ｒ端子電極３５３の電位をプルアップする機能と、Ｒ端子電極３５３の電位を測定する機能と、イヤホンアンプ２１１から送られて来る右耳用音声信号をＲ端子電極３５３に伝達する機能とを有する。
【０１０２】
プルアップ抵抗Ａ１６１２は、１．８Ｖの電源とＲ端子電極３５３とに接続された２．２ＫΩの抵抗素子であって、Ｒ端子３２３の電位をプルアップする。
Ｒ端子３２３の電位は、Ｒ端子３２３に導体が接触していない状態では、プルアップ抵抗Ａ６１２よるプルアップによって１．８Ｖとなる。また、Ｒ端子３２３の電位は、イヤホンプラグ１４１０がイヤホンジャック１２８０に完全に挿入されている状態、すなわち、Ｒ端子３２３とＲ電極４１３とが接触し、Ｇ端子３２４とＧ電極４１４とが接触している状態では、２６ｍＶとなる。これは、イヤホンプラグ１４１０がイヤホンジャック１２８０に完全に挿入されることで、１．８Ｖの電源から、２．２ＫΩのプルアップ抵抗Ａ１６１２と、内部抵抗が３２Ωの右耳用スピーカ４３０とを介して、グラウンドに接続される電流経路が形成されることによる。
【０１０３】
ここで、イヤホンジャック１２８０に水等の導体が侵入してしまった場合における、その侵入範囲に応じた、各端子の取り得る電位について考察する。ここでは、水等の導体の抵抗値が０Ωより大きく１００ＫΩ以下であると設定した上で、侵入範囲を、第１範囲と第２範囲との２つの侵入範囲に場合分けして考察する。
図１７（ａ）は、イヤホンジャック１２８０における、水等の導体の侵入範囲を示す模式図であり、図１７（ｂ）は、イヤホンジャック１２８０に水等の導体が侵入した場合における、各端子の取り得る電位を示す変形水侵入時電位テーブルである。
【０１０４】
図１７（ａ）に示されるように、第１範囲１７１０は、Ｇ端子３２４におけるＧ電極４１４との接点と、Ｒ端子３２３におけるＲ電極４１３との接点とを含む範囲である。
第１範囲１７１０に水等の導体が侵入すると、Ｇ端子３２４とＲ端子３２３との間に短絡経路が形成される。水等の導体の抵抗値を０Ωより大きく１００ＫΩ以下として計算すると、第１範囲１７１０に水等の導体が侵入した場合におけるＲ端子３２３の電位は、０ｍＶより大きく１７６０ｍＶ以下の値を取り得ることがわかる（図１７（ｂ）参照）。これに対して、Ｄｅｔ端子３２１は、他の端子との間に短絡経路が形成されないので、２６００ｍＶの電位となる（図１７（ｂ）参照）。
【０１０５】
図１７（ａ）に示されるように、第２範囲１７２０は、Ｇ端子３２４におけるＧ電極４１４との接点と、Ｒ端子３２３におけるＲ電極４１３との接点と、Ｄｅｔ端子３２１におけるＤｅｔ電極４１１との接点と、Ｌ端子３２２におけるＬ電極４１２との接点とを含む範囲である。
第２範囲１７２０に水等の導体が侵入すると、Ｇ端子３２４とＲ端子３２３とＤｅｔ端子３２１とＬ端子３２２との間に短絡経路が形成される。水等の導体の抵抗値を０Ωより大きく１００ＫΩ以下として計算すると、Ｄｅｔ端子の電位は、０ｍＶより大きく６４４ｍＶ以下の値を取り得ることがわかる（図１７（ｂ）参照）。Ｒ端子３２３も、水等の導体の抵抗値に応じた電位となるが、この電位は、以下の説明において重要ではないため、ここでは詳細な電位の算出を省略する。
【０１０６】
ところで、ＣＰＵ２１４は、ハードウエアとしては、実施の形態１から変形されていないが、実行するソフトウエアの一部が実施の形態１から変形されており、その機能面において、実施の形態１における携帯通信端末制御機能と、実施の形態１におけるイヤホンオンオフ切替機能と、実施の形態１における導体侵入検知機能の一部が変更された第１変形導体侵入検知機能とを実現するように変形されている。
【０１０７】
第１変形導体侵入検知機能：イヤホンジャック１２８０に水等の導体が侵入した場合に、その侵入を検知して、第１変形携帯通信端末を利用するユーザに対して、イヤホンジャック１２８０に導体が侵入している旨の報知を行う機能。この導体侵入検知機能は、ＣＰＵ２１４がメモリ２１５に記憶されているプログラムを実行して、第１変形携帯通信端末に第１変形導体侵入検知処理を行わせることによって実現される。なお、この第１変形導体侵入検知処理については、後程＜第１変形導体侵入検知処理＞の項目において、フローチャートを用いて詳細に説明する。
【０１０８】
上記回路構成を備える第１変形携帯通信端末について、以下、機能面から見た構成について、実施の形態１に係る携帯通信端末１００との相違点を中心に、図面を参照しながら説明する。
図１８は、第１変形携帯通信端末を構成する機能ブロックのうち、第１変形導体侵入検知処理とイヤホン挿入時処理とを実現する第１変形導体侵入検知処理部１８００の機能構成を示す機能ブロック図である。
【０１０９】
同図に示されるように、第１変形導体侵入検知処理部１８００は、実施の形態１における導体侵入検知処理部８００から、Ｍ端子電位検知部８１３とマイク信号入力回路部８６０とが削除され、正常電位記憶部８５０が正常電位記憶部１８５０に変更され、出力回路制御部８２０が出力回路制御部１８２０に変更されるように変形されている。
正常電位記憶部１８５０は、出力回路制御部１８２０に接続され、Ｄｅｔ端子３２１の電位における第１正常値（以下、「Ｄｅｔ端子第１正常値」と呼ぶ。）と、Ｄｅｔ端子３２１の電位における第２正常値（以下、「Ｄｅｔ端子第２正常値」と呼ぶ。）と、Ｒ端子３２３の電位における第１正常値（以下、「Ｒ端子第１正常値」と呼ぶ。）と、Ｒ端子３２３の電位における第２正常値（以下、「Ｒ端子第２正常値」と呼ぶ。）とを記憶する機能を有する。これらの値は、第１変形携帯通信端末の設計時において予め設定される。
【０１１０】
図１９は、正常電位記憶部１８５０が記憶する、Ｄｅｔ端子第１正常値とＤｅｔ端子第２正常値とＲ端子第１正常値とＲ端子第２正常値とを示す図である。
同図に示されるように、正常電位記憶部１８５０が記憶するＤｅｔ端子第１正常値は、「２５９０ｍＶ以上２６１０ｍＶ未満」である。この値は、Ｄｅｔ端子３２１に導体が接触していない場合におけるＤｅｔ端子３２１の電位である２６００ｍＶに対して、測定誤差等としてプラスマイナス１０ｍＶの範囲が加味されて設定されている。
【０１１１】
また、正常電位記憶部１８５０が記憶するＤｅｔ端子第２正常値は、「１６１ｍＶ以上１８１ｍＶ未満」である。この値は、イヤホンプラグ１４１０がイヤホンジャック１２８０に完全に挿入されている場合におけるＤｅｔ端子３２１の電位である１７１ｍＶに対して、測定誤差等としてプラスマイナス１０ｍＶの範囲が加味されて設定されている。
また、正常電位記憶部１８５０が記憶するＲ端子第１正常値は、「１７９０ｍＶ以上１８１０ｍＶ未満」である。この値は、Ｒ端子３２３に導体が接触していない場合におけるＲ端子３２３の電位である１８００ｍＶに対して、測定誤差等としてプラスマイナス１０ｍＶの範囲が加味されて設定されている。
【０１１２】
また、正常電位記憶部１８５０が記憶するＲ端子第２正常値は、「１６ｍＶ以上３６ｍＶ未満」である。この値は、イヤホンプラグ１４１０がイヤホンジャック１２８０に完全に挿入されている場合におけるＲ端子３２３の電位である２６ｍＶに対して、測定誤差等としてプラスマイナス１０ｍＶの範囲が加味されて設定されている。
この正常電位記憶部１８５０は、メモリ２１５の記憶領域として実現される。
【０１１３】
再び図１８に戻って、第１変形導体侵入検知処理部１８００の機能構成の説明を続ける。
出力回路制御部１８２０は、Ｄｅｔ端子電位検知部８１１とＲ端子電位検知部８１２と出力回路部８３０と報知部８４０と正常電位記憶部１８５０とに接続され、実施の形態１における出力回路制御部８２０の有する出力停止機能に加えて、以下の４つの機能を有する。
【０１１４】
変形第１警告機能：Ｄｅｔ端子電位検知部８１１から送られて来た信号が示すＤｅｔ端子３２１の電位が、正常電位記憶部８５０が記憶するＤｅｔ端子第１正常値である（すなわち、「２５９０ｍＶ以上２６１０ｍＶ未満」である）場合において、Ｒ端子電位検知部８１２から送られて来た信号が示すＲ端子３２３の電位が、正常電位記憶部８５０が記憶するＲ端子第１正常値でない（すなわち、「１７９０ｍＶ以上１８１０ｍＶ未満」でない）ときに、報知部８４０を制御して、スピーカ２４０から所定の第１警告音を出力させることで、携帯通信端末１００のユーザに警告を発する機能。
【０１１５】
変形第２警告機能：Ｄｅｔ端子電位検知部８１１から送られて来た信号が示すＤｅｔ端子３２１の電位が、正常電位記憶部８５０が記憶するＤｅｔ端子第１正常値でない（すなわち、「２５９０ｍＶ以上２６１０ｍＶ未満」でない）場合において、（１）Ｄｅｔ端子電位検知部８１１から送られて来た信号が示すＤｅｔ端子３２１の電位が、正常電位記憶部８５０が記憶するＤｅｔ端子第２正常値でない（すなわち、「１６１ｍＶ以上１８１ｍＶ未満」でない）とき、又は、（２）Ｄｅｔ端子電位検知部８１１から送られて来た信号が示すＤｅｔ端子３２１の電位が、正常電位記憶部８５０が記憶するＤｅｔ端子第２正常値であり（すなわち、「１６１ｍＶ以上１８１ｍＶ未満」であり）、かつ、Ｒ端子電位検知部８１２から送られて来た信号が示すＲ端子３２３の電位が、正常電位記憶部８５０が記憶するＲ端子第２正常値でない（すなわち、「１６ｍＶ以上３６ｍＶ未満」でない）ときに、報知部８４０を制御して、スピーカ２４０から所定の第２警告音を出力させ、さらに、バイブレータ２５０を用いて携帯通信端末１００を振動させることで、携帯通信端末１００のユーザに警告を発する機能。
【０１１６】
変形警告完了機能：Ｄｅｔ端子電位検知部８１１から送られて来た信号が示すＤｅｔ端子３２１の電位が、正常電位記憶部８５０が記憶するＤｅｔ端子第１正常値である（すなわち、「２５９０ｍＶ以上２６１０ｍＶ未満」である）場合において、Ｒ端子電位検知部８１２から送られて来た信号が示すＲ端子３２３の電位が、正常電位記憶部８５０が記憶するＲ端子第１正常値である（すなわち、「１７９０ｍＶ以上１８１０ｍＶ未満」である）ときに、報知部８４０を制御して、ユーザに対して発している警告を停止させる機能。
【０１１７】
第１変形出力回路部起動機能：Ｄｅｔ端子電位検知部８１１から送られて来た信号が示すＤｅｔ端子３２１の電位が、正常電位記憶部８５０が記憶するＤｅｔ端子第１正常値でない（すなわち、「２５９０ｍＶ以上２６１０ｍＶ未満」でない）場合において、Ｄｅｔ端子電位検知部８１１から送られて来た信号が示すＤｅｔ端子３２１の電位が、正常電位記憶部８５０が記憶するＤｅｔ端子第２正常値である（すなわち、「１６１ｍＶ以上１８１ｍＶ未満」である）ときに、Ｒ端子電位検知部８１２から送られて来た信号が示すＲ端子３２３の電位が、正常電位記憶部８５０が記憶するＲ端子第２正常値であれば（すなわち、「１６ｍＶ以上３６ｍＶ未満」であれば）、（１）報知部８４０を制御して、ユーザに対して発している警告を停止させた上で、（２）出力回路部８３０をオンにする（すなわち、イヤホンアンプ２１１をオンにする）機能。
【０１１８】
この出力回路制御部１８２０は、ＣＰＵ２１４によって実現される。
以下、図面を参照しながら、上記構成の第１変形携帯通信端末の行う動作について説明する。
＜動作＞
ここでは、第１変形携帯通信端末の行う動作のうち、特徴的な動作である、第１変形導体侵入検知処理について説明する。
【０１１９】
＜第１変形導体侵入検知処理＞
第１変形導体侵入検知処理は、実施の形態１における導体侵入検知処理から、その処理の一部が変形されたものであって、イヤホンジャック１２８０に水等の導体が侵入した場合に、その侵入を検知して、第１変形携帯通信端末を利用するユーザに対して、イヤホンジャック１２８０に導体が侵入している旨の報知を行う処理である。
【０１２０】
図２０は、第１変形導体侵入検知処理のフローチャートである。
同図に示されるように、第１変形導体侵入検知処理は、実施の形態１における導体侵入検知処理から、ステップＳ８１０の処理とステップＳ８２５の処理とが削除され、ステップＳ８０５の処理がステップＳ１８０５の処理に変更され、ステップＳ８４５の処理がステップＳ１８４５の処理に変更されるように変形されている。
【０１２１】
よって、ここでは、ステップＳ１８０５の処理とステップＳ１８４５の処理とを中心に説明する。
ステップＳ８００の処理において、Ｄｅｔ端子３２１の電位が、「２５９０ｍＶ以上２６１０ｍＶ未満」である場合に（ステップＳ８００：Ｙｅｓ）、出力回路制御部８２０は、Ｒ端子電位検知部８１２から送られて来た信号が示すＲ端子３２３の電位が、「１７９０ｍＶ以上１８１０ｍＶ未満」であるか否かを調べる（ステップＳ１８０５）。
【０１２２】
ステップＳ１８０５の処理において、Ｒ端子３２３の電位が、「１７９０ｍＶ以上１８１０ｍＶ未満」である場合に（ステップＳ１８０５：Ｙｅｓ）、ステップＳ８１５の処理に進み、ステップＳ１８０５の処理において、Ｒ端子３２３の電位が、「１７９０ｍＶ以上１８１０ｍＶ未満」でない場合に（ステップＳ１８０５：Ｎｏ、すなわち、第１範囲１７１０にイヤホンプラグ４１０以外の導体が侵入している可能性がある場合に）、ステップＳ８３０の処理に進む。
【０１２３】
ステップＳ８４０の処理において、Ｄｅｔ端子３２１の電位が、「１６１ｍＶ以上１８１ｍＶ未満」である場合に（ステップＳ８４０：Ｙｅｓ）、出力回路制御部８２０は、Ｒ端子電位検知部８１２から送られて来た信号が示すＲ端子３２３の電位が、「１６ｍＶ以上３６ｍＶ未満」であるか否かを調べる（ステップＳ１８４５）。
ステップＳ１８４５の処理において、Ｒ端子３２３の電位が、「１６ｍＶ以上３６ｍＶ未満」である場合に（ステップＳ１８４５：Ｙｅｓ）、ステップＳ８５５の処理に進み、ステップＳ１８４５の処理において、Ｒ端子３２３の電位が、「１６ｍＶ以上３６ｍＶ未満」でない場合に（ステップＳ１８４５：Ｎｏ）、ステップＳ８５０の処理に進む。
【０１２４】
＜考察＞
上記構成の第１変形携帯通信端末によると、イヤホンジャック１２８０にプラグ挿入口３１０から水等の導体が侵入した場合に、その導体が第１範囲１７１０まで侵入した段階で、スピーカ２４０から第１警告音を出力する。そして、この段階では、イヤホンアンプ２１１はオフである。
【０１２５】
これに対して、その導体が第２範囲１７２０まで侵入した場合には、その導体の示す抵抗値によっては、Ｄｅｔ端子３２１の電位が「１６１ｍＶ以上１８１ｍＶ未満」となり、Ｒ端子３２３の電位が「０ｍＶ以上１０ｍＶ未満」となってしまうことがあり、イヤホンジャック１２８０にイヤホンプラグ１４１０が挿入されていると誤って推定してしまい、イヤホンアンプ２１１をオンにしてしまうことがある。イヤホンジャック１２８０に水等の導体が侵入することで、Ｌ端子３２２又は（及び）Ｒ端子３２３が他の端子とショートしている状態で、イヤホンアンプ２１１がオンになってしまうと、イヤホンアンプ２１１に異常電流が流れてしまう恐れがある。
【０１２６】
しかしながら、第１変形携帯通信端末を利用するユーザは、イヤホンジャック１２８０に水等の導体が侵入してしまった場合であっても、第２範囲１７２０までその導体が侵入してしまう前に、その導体の侵入に対して何らかの対策を採ることができる。
＜実施の形態３＞
＜概要＞
以下、本発明に係る出力制御回路の一例として、実施の形態２に係る第１変形携帯通信端末の一部が変形された第２変形携帯通信端末について説明する。
【０１２７】
第２変形携帯通信端末は、そのハードウエア構成の一部が、実施の形態２に係る第１変形携帯通信端末から変形され、さらに、実行されるソフトウエアの一部、及び、記憶されるデータの一部が、実施の形態２に係る第１変形携帯通信端末から変形されている。
実施の形態２は、第１変形携帯通信端末が、イヤホンジャック１２８０にイヤホンプラグ１４１０が挿入されていると推定される状態になると、イヤホンアンプ２１１をオンにして、その後、イヤホンジャック１２８０にイヤホンプラグ１４１０が挿入されてないと推定される状態になると、イヤホンアンプ２１１をオフにする構成の例であった。
【０１２８】
これに対して、実施の形態３は、第２変形携帯通信端末が、イヤホンジャックにイヤホンプラグが挿入されていると推定される状態になると、イヤホンアンプの出力先をスピーカからイヤホンへと切り替えて、その後、イヤホンジャックにイヤホンプラグが挿入されていないと推定される状態になると、イヤホンアンプの出力先をイヤホンからスピーカに切り替える構成の例である。
【０１２９】
以下、実施の形態３に係る第２変形携帯通信端末について、実施の形態２に係る第１変形携帯通信端末との相違点を中心に、図面を参照しながら説明する。
＜構成＞
図２１は、第２変形携帯通信端末の回路図である。
同図に示されるように、第２変形携帯通信端末のハードウエアは、実施の形態２に係る第１変形携帯通信端末から、切替回路２１００とイヤホンジャック接続回路１２９０との間に切替回路２１００が追加され、スピーカ２４０の接続先がＣＰＵ２１４から切替回路２１００に変更されるように変形されている。
【０１３０】
切替回路２１００は、ＣＰＵ２１４とイヤホンアンプ２１１とスピーカ２４０とイヤホンジャック接続回路１２９０とに接続され、ＣＰＵ２１４によって制御されることで、イヤホンアンプ２１１の出力の接続先を、イヤホンジャック接続回路１２９０とスピーカ２４０との間で切り替える機能を有する。
図２２は、切替回路２１００とイヤホンアンプ２１１とイヤホンジャック接続回路１２９０とＣＰＵ２１４との接続関係を示す図である。
【０１３１】
同図に示されるように、切替回路２１００は、イヤホンアンプ２１１から出力される、右耳用音声信号と左耳用音声信号との出力の接続先を、イヤホンジャック接続回路１２９０とスピーカ２４０との間で切り替える。
ところで、ＣＰＵ２１４は、ハードウエアとしては、実施の形態２から変形されていないが、実行するソフトウエアの一部が実施の形態２から変形されており、その機能面において、実施の形態１における携帯通信端末制御機能と、実施の形態２における第１変形導体侵入検知機能の一部が変更された第２変形導体侵入検知機能と、イヤホンアンプ出力先切替機能とを実現するように変形されている。
【０１３２】
第２変形導体侵入検知機能：イヤホンジャック１２８０に水等の導体が侵入した場合に、その侵入を検知して、第２変形携帯通信端末を利用するユーザに対して、イヤホンジャック１２８０に導体が侵入している旨の報知を行う機能。この導体侵入検知機能は、ＣＰＵ２１４がメモリ２１５に記憶されているプログラムを実行して、第２変形携帯通信端末に第２変形導体侵入検知処理を行わせることによって実現される。なお、この第２変形導体侵入検知処理については、後程＜第２変形導体侵入検知処理＞の項目において、フローチャートを用いて詳細に説明する。
【０１３３】
イヤホンアンプ出力先切替機能： イヤホンジャック１２８０にイヤホンプラグ１４１０が挿入されていると推定される状態になると、イヤホンアンプ２１１の出力先をスピーカ２４０からステレオイヤホン１４００へと切り替えて、その後、イヤホンジャック１２８０にイヤホンプラグ１４１０が挿入されていないと推定される状態になると、イヤホンアンプ２１１の出力先をステレオイヤホン１４００からスピーカ２４０に切り替える機能。このイヤホンアンプ出力先切替機能は、ＣＰＵ２１４がメモリ２１５に記憶されているプログラムを実行して、第２変形携帯通信端末に変形イヤホン挿入時処理を行わせることによって実現される。なお、この変形イヤホン挿入時処理については、後程＜変形イヤホン挿入時処理＞の項目において、フローチャートを用いて詳細に説明する。
【０１３４】
上記回路構成を備える第２変形携帯通信端末について、以下、機能面から見た構成について、実施の形態２に係る第１変形携帯通信端末との相違点を中心に、図面を参照しながら説明する。
図２３は、第２変形携帯通信端末を構成する機能ブロックのうち、第１変形導体侵入検知処理と変形イヤホン挿入時処理とを実現する第２変形導体侵入検知処理部２３００の機能構成を示す機能ブロック図である。
【０１３５】
同図に示されるように、第２変形導体侵入検知処理部２８００は、実施の形態２における第１変形導体侵入検知処理部１８００から、出力回路制御部１８２０が出力回路制御部２３２０に変更され、出力回路部８３０が出力回路部２３３０に変更されるように変形されている。
出力回路部２３３０は、イヤホンジャック１２８０とスピーカ２４０と出力回路制御部２３２０とに接続され、出力回路制御部２３２０によって制御され、右耳用音声信号と左耳用音声信号とを生成する機能と、生成した音声信号の出力先を、イヤホンジャック１２８０とスピーカ２４０との間で切り替える機能とを有する。
【０１３６】
この出力回路部２３３０は、ＣＰＵ２１４とイヤホンアンプ２１１と切替回路２１００とによって実現される。そして、この出力回路部２３３０は、第２変形携帯通信端末の起動時にイヤホンアンプ２１１をオンとし、イヤホンアンプ２１１の出力の接続先を、スピーカ２４０とする。
出力回路制御部２３２０は、Ｄｅｔ端子電位検知部８１１とＲ端子電位検知部８１２と出力回路部２３３０と報知部８４０と正常電位記憶部１８５０とに接続され、実施の形態２における出力回路制御部１８２０の有する変形第１警告機能と変形第２警告機能と変形警告完了処理とに加えて、以下の２つの機能を有する。
【０１３７】
イヤホンジャック切替機能：出力回路部２３３０において、音声信号の出力先がスピーカ２４０へと切り替えられている場合において、Ｄｅｔ端子電位検知部８１１から送られて来た信号が示すＤｅｔ端子３２１の電位が、正常電位記憶部８５０が記憶するＤｅｔ端子第１正常値でない（すなわち、「２５９０ｍＶ以上２６１０ｍＶ未満」でない）場合に、Ｄｅｔ端子電位検知部８１１から送られて来た信号が示すＤｅｔ端子３２１の電位が、正常電位記憶部８５０が記憶するＤｅｔ端子第２正常値である（すなわち、「１６１ｍＶ以上１８１ｍＶ未満」である）ときに、Ｒ端子電位検知部８１２から送られて来た信号が示すＲ端子３２３の電位が、正常電位記憶部８５０が記憶するＲ端子第２正常値であれば（すなわち、「１６ｍＶ以上３６ｍＶ未満」であれば）、（１）報知部８４０を制御して、ユーザに対して発している警告を停止させた上で、（２）出力回路部２３３０を制御して、音声信号の出力先を、スピーカ２４０からイヤホンジャック１２８０へと切り替える機能。
【０１３８】
スピーカ切替機能：出力回路部２３３０において、音声信号の出力先がイヤホンジャック１２８０へと切り替えられている場合において、Ｄｅｔ端子電位検知部８１１から送られて来た信号が示すＤｅｔ端子３２１の電位が、正常電位記憶部８５０が記憶するＤｅｔ端子第２正常値でない（すなわち、「１６１ｍＶ以上１８１ｍＶ未満」でない）ときに、出力回路部２３３０を制御して、音声信号の出力先を、イヤホンジャック１２８０からスピーカ２４０へと切り替える機能。
【０１３９】
この出力回路制御部１８２０は、ＣＰＵ２１４によって実現される。
以下、図面を参照しながら、上記構成の第２変形携帯通信端末の行う動作について説明する。
＜動作＞
ここでは、第２変形携帯通信端末の行う動作のうち、特徴的な動作である、第２変形導体侵入検知処理と変形イヤホン挿入時処理とについて説明する。
【０１４０】
＜第２変形導体侵入検知処理＞
第２変形導体侵入検知処理は、実施の形態２における第１変形導体侵入検知処理から、その処理の一部が変形されたものであって、イヤホンジャック１２８０に水等の導体が侵入した場合に、その侵入を検知して、第２変形携帯通信端末を利用するユーザに対して、イヤホンジャック１２８０に導体が侵入している旨の報知を行う処理である。
【０１４１】
図２４は、第２変形導体侵入検知処理のフローチャートである。
同図に示されるように、第２変形導体侵入検知処理は、実施の形態２における第１変形導体侵入検知処理から、ステップＳ８６５の処理がステップＳ２８６５の処理に変更されるように変形されている。
よって、ここでは、ステップＳ２８６５の処理を中心に説明する。・
ステップＳ８６０の処理が終了した場合、又は、ステップＳ８５５の処理において、現在ユーザに対して警告を発していない場合（ステップＳ８５５：Ｎｏ）、第２変形携帯通信端末は、変形イヤホン挿入時処理を行う（ステップＳ２８６５）。この変形イヤホン挿入時処理については、後程、フローチャートを用いて詳細に説明する。
【０１４２】
ステップＳ８３５の処理が終了した場合、又は、ステップＳ２８６５の処理が終了した場合に、再びステップＳ８００の処理に戻って、ステップＳ８００以降の処理を繰り返す。
＜変形イヤホン挿入時処理＞
変形イヤホン挿入時処理は、実施の形態１におけるイヤホン挿入時処理から、その処理の一部が変形されたものであって、イヤホンジャック１２８０にイヤホンプラグ１４１０が挿入されていると推定される状態になると（すなわち、第２変形導体侵入検知処理における、ステップＳ８６０の処理が終了した場合、又は、ステップＳ８５５の処理において、現在ユーザに対して警告を発していない場合（ステップＳ８５５：Ｎｏ）に）、イヤホンアンプ２１１の出力先をスピーカ２４０からステレオイヤホン１４００へと切り替えて、その後、イヤホンジャック１２８０にイヤホンプラグ１４１０が挿入されていないと推定される状態になると、イヤホンアンプ２１１の出力先をステレオイヤホン１４００からスピーカ２４０に切り替える処理である。
【０１４３】
なお、第２変形携帯通信端末の起動時に、イヤホンアンプ２１１の出力先がスピーカ２４０となるため、及び、後述するように、変形イヤホン挿入時処理の終了時点で、イヤホンアンプ２１１の出力先がスピーカ２４０となるため、変形イヤホン挿入時処理の開始時点で、イヤホンアンプ２１１の出力先がスピーカ２４０となる。
図２５は、変形イヤホン挿入時処理のフローチャートである。
【０１４４】
同図に示されるように、変形イヤホン挿入時処理は、実施の形態２におけるイヤホン挿入時処理から、ステップＳ９００の処理がステップＳ２５００の処理に変更され、ステップＳ９３０の処理がステップＳ２５３０の処理に変更されるように変形されている。
よって、ここでは、ステップＳ２５００の処理とステップＳ２５３０の処理とを中心に説明する。
【０１４５】
変形イヤホン挿入時処理が開始されると、出力回路制御部２３２０は、出力回路部２３３０を制御して、音声信号の出力先を、スピーカ２４０からイヤホンジャック１２８０へと切り替える（ステップＳ２５００）。
ステップＳ２５００の処理が終わると、ステップＳ９１０の処理へ進む。
ステップＳ９１０の処理において、Ｄｅｔ端子３２１の電位が、「１６１ｍＶ以上１８１ｍＶ未満」でない場合に（ステップＳ９１０：Ｎｏ）、すなわち、イヤホンジャック２８０にイヤホンプラグ４１０が挿入されていないと推定される状態になると、出力回路制御部２３２０は、出力回路部２３３０を制御して、音声信号の出力先を、イヤホンジャック１２８０からスピーカ２４０へと切り替える（ステップＳ２５３０）。
【０１４６】
ステップＳ２５３０の処理が終わると、第２変形携帯通信端末は、その変形イヤホン挿入時処理を終了する。
＜考察＞
上記構成の第２変形携帯通信端末によると、イヤホンジャック１２８０にプラグ挿入口３１０から水等の導体が侵入した場合に、その導体が第１範囲１７１０まで侵入した段階で、スピーカ２４０から第１警告音を出力する。そして、この段階では、イヤホンアンプ２１１の出力は、イヤホンジャック１２８０に接続されていない、
これに対して、その導体が第２範囲１７２０まで侵入した場合には、その導体の示す抵抗値によっては、Ｄｅｔ端子３２１の電位が「１６１ｍＶ以上１８１ｍＶ未満」となり、Ｒ端子３２３の電位が「０ｍＶ以上１０ｍＶ未満」となってしまうことがあり、イヤホンジャック１２８０にイヤホンプラグ１４１０が挿入されていると誤って推定してしまい、イヤホンアンプ２１１の出力を、イヤホンジャック１２８０に接続してしまうことがある。イヤホンジャック１２８０に水等の導体が侵入することで、Ｌ端子３２２又は（及び）Ｒ端子３２３が他の端子とショートしている状態で、イヤホンアンプ２１１の出力をイヤホンジャック１２８０に接続してしまうと、イヤホンアンプ２１１に異常電流が流れてしまう恐れがある。
【０１４７】
しかしながら、第２変形携帯通信端末を利用するユーザは、イヤホンジャック１２８０に水等の導体が侵入してしまった場合であっても、第２範囲１７２０までその導体が侵入してしまう前に、その導体の侵入に対して何らかの対策を採ることができる。
＜補足＞
以上、本発明に係る出力制御回路の一実施形態として、実施の形態１、実施の形態２、実施の形態３において携帯通信端末１００、第１変形携帯通信端末、第２変形携帯通信端末を例として説明したが、以下のように変形することも可能であり、本発明は上述した実施の形態通りの出力制御回路に限られないことはもちろんである。
【０１４８】
（１）実施の形態１において、携帯通信端末１００は、ユーザへの報知を行う手段として、スピーカ２４０とタッチパネル１１０とバイブレータ２５０とを備えていた。しかしながら、ユーザへの報知を行うことができる手段であれば、これらの手段以外の手段を備えていても構わない。これらの手段以外の手段として、例えば、光を発することでユーザに報知するＬＥＤ（Light Emitting Diode）等の例が考えられる。
【０１４９】
（２）実施の形態１において、本発明に係る出力制御回路が携帯通信端末１００である場合の例について説明した。しかしながら、本発明に係る出力制御回路は、実施の形態１に係る導体侵入検知処理及びイヤホン挿入時処理と同等の機能を実現することができれば、必ずしも携帯通信端末１００に限られる必要はない。一例として、実施の形態１に係る導体侵入検知処理及びイヤホン挿入時処理と同等の機能を実現するタブレット型パソコン等の例が考えられる。
【０１５０】
（３）実施の形態１において、イヤホンジャック２８０が５つの端子を備えている構成の例を示し、実施の形態２において、イヤホンジャック１２８０が４つの端子を備えている構成の例を示した。しかしながら、イヤホンジャックは、少なくとも、（ａ）導体が侵入していることを検知して、イヤホンジャックへの音声信号の出力を可能化するための端子Ａと、（ｂ）端子Ａよりもイヤホンプラグ挿入口側に配置され、導体が侵入していることを検知するための端子Ｂとの２つの端子を備えていれば、必ずしも、４つ又は５つの端子を備えている構成の例に限られず、例えば、６つの端子を備えている構成であっても構わない。
【０１５１】
（４）実施の形態２に係る第１変形導体侵入検知処理において、ステップＳ８００の処理がＮｏの場合において、ステップＳ８４０の処理がＹｅｓのときに、ステップＳ８４５の処理がＹｅｓであれば、イヤホン挿入時処理を行う構成（以下、「第１構成」と呼ぶ。）の例について説明した。これに対して、別の構成の例として、ステップＳ８００の処理がＮｏの場合にイヤホン挿入時処理を行う構成（以下、「第２構成」と呼ぶ。）の例が考えられる。
【０１５２】
ここで、第２構成の場合には、第１構成の場合に比べて処理が軽くなるというメリットがある反面、第２範囲１７２０にイヤホンプラグ１４１０以外の導体が侵入しているにもかかわらず、イヤホンアンプ２１１をオンにしてしまうというリスクが高くなってしまうというデメリットもある。
（５）上記実施の形態及び上記変形例をそれぞれ組み合わせるとしてもよい。
【０１５３】
（６）以下、さらに本発明の一実施形態に係る出力制御回路の構成及びその変形例と各効果について説明する。
（ａ）本発明の一実施形態に係る出力制御回路は、第１端子と、音声信号を出力する出力回路に接続され当該第１端子よりもイヤホンプラグ挿入口側に配置される第２端子とを有するイヤホンジャックに接続された出力制御回路であって、前記第１端子の電位が、前記イヤホンジャックに外部の導体が侵入していない場合に検出される所定の第１値であるか否かを検知する第１検知手段と、前記第２端子の電位が、前記イヤホンジャックに外部の導体が侵入していない場合に検出される所定の第２値であるか否かを検知する第２検知手段と、前記第１検知手段が、前記第１端子の電位が前記第１値であることを検知する場合に、前記出力回路による前記イヤホンジャックへの音声信号出力を抑制し、前記第１検知手段が、前記第１端子の電位が前記第１値であることを検知しない場合に、前記出力回路による前記イヤホンジャックへの音声信号出力を可能とする出力回路制御手段と、前記第１検知手段が、前記第１端子の電位が前記第１値であることを検知する場合において、前記第２検知手段が、前記第２端子の電位が前記第２値であることを検知しないときに、第１の報知を行う報知手段とを備えることを特徴とする。
【０１５４】
この出力制御回路によると、イヤホンジャックにイヤホンプラグ挿入口から水等の導体が侵入してしまった場合であっても、第１端子の配置位置まで水等の導体が侵入しないと、出力回路は、イヤホンジャックへの音声信号の出力を行わない。そして、イヤホンジャックにイヤホンプラグ挿入口から水等の導体が侵入してしまった場合において、第１端子よりもイヤホンプラグ挿入口側に配置される第２端子の配置位置まで水等の導体が侵入した段階で、報知手段が報知を行う。
【０１５５】
このことにより、この出力制御回路に接続されたイヤホンジャックを利用するユーザは、そのイヤホンジャックにイヤホンプラグ挿入口から水等の導体が侵入してしまった場合に、出力回路がイヤホンプラグへの音声信号の出力を開始する前の段階で、水等の導体の侵入に気付くことができる。このため、このユーザは、水等の導体によって端子間がショートしているイヤホンプラグへの音声信号の出力を開始するよりも前の段階で、水等の導体の侵入に対する対応策を採ることが可能となる。
【０１５６】
従って、この出力制御回路は、イヤホンプラグ挿入口から水等の導体が侵入してしまった場合において、イヤホンプラグへの音声信号を出力する出力回路を適切に保護することができる。
（ｂ）また、前記第１端子に接続され、前記イヤホンジャックに外部の導体が侵入していない場合に前記第１端子の電位が前記第１値になるように、前記第１端子の電位をプルアップするプルアップ抵抗を備え、前記第１端子は、イヤホンプラグが前記イヤホンジャックに挿入された場合に、当該イヤホンプラグと接触し、前記イヤホンジャックは、前記出力回路に接続され、前記第２端子よりも、前記イヤホンプラグ挿入口から見て奥側に配置され、イヤホンプラグが前記イヤホンジャックに挿入された場合に、当該イヤホンプラグと接触することで当該イヤホンプラグを介して前記第１端子と電気的に接続され、前記第１値よりも低い電位となるように設定された第３端子を有し、前記プルアップ抵抗の抵抗値は、前記イヤホンプラグ挿入口から侵入する導体によって、前記第１端子と前記第３端子とが短絡する場合における、前記第１端子と前記第３端子との間の抵抗値よりも大きいとしてもよい。
【０１５７】
これにより、第１検知手段の行う、第１端子の電位が所定の第１値であるか否かの検知を、比較的容易に実現することができる。
（ｃ）また、前記プルアップ抵抗の抵抗値は、１００ｋΩより大きいとしてもよい。
これにより、イヤホンプラグ挿入口から侵入する導体による第１端子と第３端子との短絡の抵抗値が１００ｋΩ以下である場合における、第１検知手段の行う、第１端子の電位が所定の第１値であるか否かの検知を、比較的容易に実現することができる。
【０１５８】
（ｄ）また、前記第２端子は、イヤホンプラグが前記イヤホンジャックに挿入された場合に当該イヤホンプラグの右耳用音声信号入力電極に接触される右耳用音声出力端子であり、前記第１端子と前記第３端子のいずれか一方が、イヤホンプラグが前記イヤホンジャックに挿入された場合に当該イヤホンプラグの左耳用音声信号入力電極に接触される端子であるとしてもよい。
【０１５９】
これにより、接続されるイヤホンジャックを、右耳用音声出力端子と左耳用音声出力端子とを備えるステレオイヤホン用のイヤホンジャックとすることができる。
（ｅ）また、前記イヤホンジャックは、前記第２端子よりも前記イヤホンプラグ挿入口側の位置であって、イヤホンプラグが前記イヤホンジャックに挿入された場合に、当該イヤホンプラグのマイク信号出力電極に接触されるマイク信号入力端子を有し、前記マイク信号入力端子の電位が、前記イヤホンジャックに外部の導体が侵入していない場合に検出される所定の第３値であるか否かを検知する第３検知手段をさらに備え、前記報知手段は、さらに、前記第１検知手段が、前記第１端子の電位が前記第１値であることを検知する場合において、前記第２検知手段が、前記第２端子の電位が前記第２値であることを検知するときに、前記第３検知手段が、前記マイク信号入力端子の電位が前記第３値であることを検知しなければ第２の報知を行うとしてもよい。
【０１６０】
これにより、外部の導体の侵入の深さに応じて、段階的に報知することができるようになる。
（ｆ）また、前記第１の報知は、前記第２の報知よりも、報知の際の音量について大きいとしてもよい。
これにより、外部の導体の侵入の深さに応じて、より深く侵入した場合に、音量についてより大きくなるように、段階的に報知することができるようになる。
【０１６１】
（ｇ）また、前記第１検知手段は、さらに、前記第１端子の電位が、イヤホンプラグが前記イヤホンジャックに挿入されている場合に検出される所定の第４値であるか否かを検知し、前記出力回路制御手段は、前記音声信号出力の可能化を、前記第１検知手段が、前記第１端子の電位が前記第４値であることを検知するときに前記音声信号出力を可能とするとしてもよい。
【０１６２】
これにより、イヤホンプラグにイヤホンジャックが挿入されていない状態において、出力回路によるイヤホンジャックへの音声信号出力の可能化が起こってしまう可能性を抑制することができる。
（ｈ）また、前記出力回路制御手段は、前記第２検知手段が、前記第２端子の電位が前記第２値であることを検知しないときに、前記音声信号出力を可能とするとしてもよい。
【０１６３】
これにより、イヤホンプラグにイヤホンジャックが挿入されていない状態において、出力回路によるイヤホンジャックへの音声信号出力の可能化が起こってしまう可能性を、さらに抑制することができる。
【産業上の利用可能性】
【０１６４】
本発明は、イヤホンジャックを備える機器に広く利用することができる。
【符号の説明】
【０１６５】
１００  携帯通信端末
８１１  Ｄｅｔ端子電位検知部
８１２  Ｒ端子電位検知部
８１３  Ｍ端子電位検知部
８２０  出力回路制御部
８３０  出力回路部
８４０  報知部
８５０  正常電位記憶部
８６０  マイク信号入力回路部
【図１】
2014107757.tif 000003
【図２】
2014107757.tif 000004
【図３】
2014107757.tif 000005
【図４】
2014107757.tif 000006
【図５】
2014107757.tif 000007
【図６】
2014107757.tif 000008
【図７】
2014107757.tif 000009
【図８】
2014107757.tif 000010
【図９】
2014107757.tif 000011
【図１０】
2014107757.tif 000012
【図１１】
2014107757.tif 000013
【図１２】
2014107757.tif 000014
【図１３】
2014107757.tif 000015
【図１４】
2014107757.tif 000016
【図１５】
2014107757.tif 000017
【図１６】
2014107757.tif 000018
【図１７】
2014107757.tif 000019
【図１８】
2014107757.tif 000020
【図１９】
2014107757.tif 000021
【図２０】
2014107757.tif 000022
【図２１】
2014107757.tif 000023
【図２２】
2014107757.tif 000024
【図２３】
2014107757.tif 000025
【図２４】
2014107757.tif 000026
【図２５】
2014107757.tif 000027